(57)【要約】【課題】復調処理に関する基地局の処理負荷を軽減する。【解決手段】無線通信端末から送信された無線信号の復調が成功した場合に復調成功通知を送信する基地局と通信する通信部と、前記無線通信端末から送信された無線信号についての復調成功通知がいずれの基地局から受信されたかに基づき、前記無線通信端末から送信される無線信号の復調を試みるべき受信基地局を複数の基地局から選択する選択部と、を備える、管理サーバー。【選択図】図５
2019031109.tif 000002
【特許請求の範囲】
【請求項１】
無線通信端末から送信された無線信号の復調が成功した場合に復調成功通知を送信する基地局と通信する通信部と、
前記無線通信端末から送信された無線信号についての復調成功通知がいずれの基地局から受信されたかに基づき、前記無線通信端末から送信される無線信号の復調を試みるべき受信基地局を複数の基地局から選択する選択部と、
を備える、管理サーバー。
【請求項２】
前記基地局は、前記無線通信端末から繰り返し送信された無線信号を合成し、合成後の無線信号の復調が成功した場合に、前記無線信号の合成回数を示す情報を含む復調成功通知を送信し、
前記選択部は、さらに、前記復調成功通知が示す前記合成回数に基づいて、前記受信基地局を選択する、請求項１に記載の管理サーバー。
【請求項３】
前記選択部は、前記合成回数が閾値未満であることに基づき、前記復調成功通知の送信元の基地局を前記受信基地局として選択する、請求項２に記載の管理サーバー。
【請求項４】
前記選択部は、前記合成回数が閾値以上であることに基づき、前記復調成功通知の送信元の基地局、および当該基地局の隣接基地局を前記受信基地局として選択する、請求項３に記載の管理サーバー。
【請求項５】
前記選択部は、
前記無線通信端末から送信された無線信号についての最初の復調成功通知の受信後の期間にも、前記無線通信端末から送信された無線信号についての２つ目以降の復調成功通知の受信を待機し、
前記期間に前記２つ目以降の復調成功通知が受信されなかった場合、前記最初の復調成功通知が示す前記合成回数が前記閾値未満であるか否かに基づき、前記最初の復調成功通知の送信元の基地局、または、前記最初の復調成功通知の送信元の基地局および当該基地局の隣接基地局を、前記受信基地局として選択する、請求項４に記載の管理サーバー。
【請求項６】
前記選択部は、
前記期間に２つ目以降の復調成功通知が受信された場合、前記閾値未満の合成回数を示す復調成功通知が存在するか否かを判断し、
前記閾値未満の合成回数を示す復調成功通知が存在する場合、前記無線通信端末に関して受信された全ての復調成功通知のうちで最も少ない合成回数を示す復調成功通知の送信元の基地局を前記受信基地局として選択し、
前記閾値未満の合成回数を示す復調成功通知が存在しない場合、前記無線通信端末に関して受信された全ての復調成功通知の送信元の基地局を前記受信基地局として選択する、請求項５に記載の管理サーバー。
【請求項７】
前記選択部は、
同一の基地局から受信される複数の復調成功通知の各々が示す前記合成回数の変化から、前記無線通信端末と前記基地局との位置関係の変化を推定し、
前記無線通信端末に関して２以上の基地局から前記復調成功通知が受信されたことに基づき、各基地局と前記無線通信端末との位置関係の変化の組合わせから、前記無線通信端末の移動方向を推定し、
推定された移動方向に基づき、前記無線通信端末が近づいていると推定される基地局を前記受信基地局として推定する、請求項２に記載の管理サーバー。
【請求項８】
前記管理サーバーは、前記複数の基地局の情報を記憶する基地局情報記憶部をさらに備え、
前記選択部は、前記複数の基地局から前記復調成功通知が受信された場合、前記基地局情報記憶部に記憶された前記複数の基地局の各々の情報に基づき、前記複数の基地局から前記受信基地局を選択する、請求項１に記載の管理サーバー。
【請求項９】
前記選択部は、前記複数の基地局のうちで処理能力が高い基地局を優先して前記受信基地局として選択する、請求項８に記載の管理サーバー。
【請求項１０】
前記選択部は、前記複数の基地局のうちで受信可能エリアが広い基地局を優先して前記受信基地局として選択する、請求項８に記載の管理サーバー。
【請求項１１】
前記選択部は、前記複数の基地局のうちで復調を試みている無線信号の送信元の無線通信端末の数が少ない基地局を優先して前記受信基地局として選択する、請求項８に記載の管理サーバー。
【請求項１２】
前記管理サーバーは、前記複数の基地局のうちで復調を試みている無線信号の送信元の無線通信端末の数が少ない基地局を前記受信基地局として選択した後の、前記複数の基地局の各々が復調を試みている無線信号の送信元の無線通信端末の数を、前記無線通信端末と関連付けて記憶する端末情報記憶部をさらに備え、
前記選択部は、前記端末情報記憶部に記憶されている前記複数の基地局の各々が復調を試みている無線信号の送信元の無線通信端末の数の大小関係が変化したことに基づき、前記受信基地局を変更する、請求項１１に記載の管理サーバー。
【請求項１３】
前記基地局が保持する、各無線通信端末に対応する復調のための端末情報には優先順位が設定されており、前記基地局は、上位から前記基地局の処理能力に応じた数の範囲内の優先順位が付された端末情報を用いて無線信号の復調を試みて、
前記管理サーバーは、
前記基地局において復調が成功した無線信号の送信元端末に対応する端末情報の優先順位を下げることで各端末情報の優先順位を調整する優先順位管理部をさらに備え、
前記通信部は、前記優先順位管理部により調整された各端末情報の優先順位を示す情報を前記基地局に送信する、請求項１に記載の管理サーバー。
【請求項１４】
前記基地局が保持する、各無線通信端末に対応する復調のための端末情報には優先順位が設定されており、前記基地局は、上位から前記基地局の処理能力に応じた数の範囲内の優先順位が付された端末情報を用いて無線信号の復調を試みて、
前記管理サーバーは、
前記基地局のオペレータと契約している無線通信端末の端末情報には、前記基地局のオペレータとローミングを契約しているオペレータと契約している無線通信端末の端末情報の優先順位よりも高い優先順位を設定する優先順位管理部をさらに備える、請求項１に記載の管理サーバー。
【請求項１５】
前記通信部は、前記受信基地局以外の基地局に、前記無線通信端末から送信された無線信号の復調を試みないことを指示する信号を送信する、請求項１に記載の管理サーバー。
【請求項１６】
前記信号は、前記無線通信端末から送信された無線信号の復調に用いられる端末情報の破棄を指示する、請求項１５に記載の管理サーバー。
【請求項１７】
無線通信端末から送信された無線信号の復調が成功した場合に復調成功通知を送信する基地局と通信することと、
前記無線通信端末から送信された無線信号についての復調成功通知がいずれの基地局から受信されたかに基づき、プロセッサが、前記無線通信端末から送信される無線信号の復調を試みるべき受信基地局を複数の基地局から選択することと、
を含む、管理方法。
【請求項１８】
無線通信端末から送信された無線信号の復調を試みる復調部と、
前記復調部による前記無線信号の復調が成功した場合に、復調成功通知を管理サーバーに送信する送信部と、
前記管理サーバーから受信される指示に基づき、前記復調部に、いずれの無線通信端末から送信された無線信号の復調を試みさせるかを制御する制御部と、
を備える、基地局。
【請求項１９】
無線通信端末から送信された無線信号の復調を復調部が試みることと、
前記無線信号の復調が成功した場合に、復調成功通知を管理サーバーに送信することと、
前記管理サーバーから受信される指示に基づき、前記復調部にいずれの無線通信端末から送信された無線信号の復調を試みさせるかをプロセッサが制御することと、
を含む、通信制御方法。
【請求項２０】
無線通信端末から送信された無線信号の復調を試みる復調部と、
前記復調部による前記無線信号の復調が成功した場合に、復調成功通知を管理サーバーに送信する送信部と、
を有する複数の基地局と、
前記複数の基地局と通信する通信部と、
前記無線通信端末から送信された無線信号についての復調成功通知がいずれの基地局から受信されたかに基づき、前記無線通信端末から送信される無線信号の復調を試みるべき受信基地局を複数の基地局から選択する選択部と、
を備え、
前記選択部により前記受信基地局として選択された基地局の復調部が、前記無線通信端末から送信される無線信号の復調を試みる、無線通信システム。
【発明の詳細な説明】
【技術分野】
【０００１】
本開示は、管理サーバー、管理方法、基地局、通信制御方法および無線通信システムに関する。
【背景技術】
【０００２】
基地局と無線通信端末とが通信を行う無線通信システムにおいては、基地局は、無線通信端末から送信されたデータを、当該無線通信端末の端末情報（変調方式、変調レートまたは暗号鍵などの復調用情報）を用いて復調することができる。ＬＴＥ（Ｌｏｎｇ  Ｔｅｒｍ  Ｅｖｏｌｕｔｉｏｎ）では、基地局と無線通信端末が双方向に通信可能であり、基地局は、無線通信端末にシグナリングで通信リソース（時間および周波数）を割り当てる。このため、基地局は、無線通信端末から送信されるデータパケットを当該通信リソースで待ち受けることができる。基地局は、当該通信リソースで送信されたデータパケットに含まれるデータを、当該データパケットに含まれる端末情報を用いて復調し得る。無線通信システムおよび通信リソースの割当てについては、例えば特許文献１に開示されている。
【先行技術文献】
【特許文献】
【０００３】
【特許文献１】特開２００７−１６５９９７号公報
【発明の概要】
【発明が解決しようとする課題】
【０００４】
通信リソースの割当てのためのシグナリングは、無線通信端末における消費電力を増加させる。ＩｏＴのための無線通信方式として有力なＬＰＷＡ（Ｌｏｗ−Ｐｏｗｅｒ  Ｗｉｄｅ−Ａｒｅａ  Ｎｅｔｗｏｒｋ）では、消費電力の増加を伴う上記シグナリングは好ましくなく、無線通信端末から基地局へ向かう片方向通信のみがサポートされ得る。【０００５】
このように片方向通信のみがサポートされる場合、無線通信端末がデータパケットを送信する通信リソースを基地局が事前に把握することは困難である。この場合、基地局は、全ての無線通信端末の端末情報を保持し、全ての無線通信端末のための復調処理を常時行うことにより、無線通信端末から送信されたデータパケットに含まれるデータを復調可能である。【０００６】
しかし、基地局のセル内に存在しない無線通信端末のための復調処理は本来不要である。セル内に存在しない無線通信端末のための復調処理まで基地局が常時行うと、基地局の処理負荷が膨大になり、基地局の処理負荷が基地局の処理能力をオーバーフローすることが懸念される。【０００７】
そこで、本開示では、復調処理に関する基地局の処理負荷を軽減することが可能な、新規かつ改良された管理サーバー、管理方法、基地局、通信制御方法および無線通信システムを提案する。
【課題を解決するための手段】
【０００８】
本開示によれば、無線通信端末から送信された無線信号の復調が成功した場合に復調成功通知を送信する基地局と通信する通信部と、前記無線通信端末から送信された無線信号についての復調成功通知がいずれの基地局から受信されたかに基づき、前記無線通信端末から送信される無線信号の復調を試みるべき受信基地局を複数の基地局から選択する選択部と、を備える、管理サーバーが提供される。【０００９】
また、本開示によれば、無線通信端末から送信された無線信号の復調が成功した場合に復調成功通知を送信する基地局と通信することと、前記無線通信端末から送信された無線信号についての復調成功通知がいずれの基地局から受信されたかに基づき、プロセッサが、前記無線通信端末から送信される無線信号の復調を試みるべき受信基地局を複数の基地局から選択することと、を含む、管理方法が提供される。【００１０】
また、本開示によれば、無線通信端末から送信された無線信号の復調を試みる復調部と、前記復調部による前記無線信号の復調が成功した場合に、復調成功通知を管理サーバーに送信する送信部と、前記管理サーバーから受信される指示に基づき、前記復調部に、いずれの無線通信端末から送信された無線信号の復調を試みさせるかを制御する制御部と、を備える、基地局が提供される。【００１１】
また、本開示によれば、無線通信端末から送信された無線信号の復調を復調部が試みることと、前記無線信号の復調が成功した場合に、復調成功通知を管理サーバーに送信することと、前記管理サーバーから受信される指示に基づき、前記復調部にいずれの無線通信端末から送信された無線信号の復調を試みさせるかをプロセッサが制御することと、を含む、通信制御方法が提供される。【００１２】
また、本開示によれば、無線通信端末から送信された無線信号の復調を試みる復調部と、前記復調部による前記無線信号の復調が成功した場合に、復調成功通知を管理サーバーに送信する送信部と、を有する複数の基地局と、前記複数の基地局と通信する通信部と、前記無線通信端末から送信された無線信号についての復調成功通知がいずれの基地局から受信されたかに基づき、前記無線通信端末から送信される無線信号の復調を試みるべき受信基地局を複数の基地局から選択する選択部と、を備え、前記選択部により前記受信基地局として選択された基地局の復調部が、前記無線通信端末から送信される無線信号の復調を試みる、無線通信システムが提供される。
【発明の効果】
【００１３】
以上説明したように本開示によれば、復調処理に関する基地局の処理負荷を軽減することが可能である。【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の実施形態による無線通信システムの構成を示す説明図である。
【図２】データパケットの構成の具体例を示す説明図である。
【図３】無線通信端末の構成を示す機能ブロック図である。
【図４】基地局の構成を示す説明図である。
【図５】管理サーバーの構成を示す説明図である。
【図６】基地局の動作例を示すフローチャートである。
【図７】受信基地局の選択処理Ａ１を示すフローチャートである。
【図８】基地局と無線通信端末の位置関係の一例を示す説明図である。
【図９】各基地局による端末情報の保持状況を示す説明図である。
【図１０】選択処理Ａ１の具体例を示す説明図である。
【図１１】受信基地局の選択処理Ａ２を示すフローチャートである。
【図１２】基地局と無線通信端末の位置関係の一例を示す説明図である。
【図１３】各基地局による端末情報の保持状況を示す説明図である。
【図１４】選択処理Ａ２の具体例を示す説明図である。
【図１５】受信基地局の選択処理Ａ３を示すフローチャートである。
【図１６】基地局と無線通信端末の位置関係の一例を示す説明図である。
【図１７】各基地局による端末情報の保持状況を示す説明図である。
【図１８】選択処理Ａ３の具体例を示す説明図である。
【図１９】各基地局による端末情報の保持状況を示す説明図である。
【図２０】選択処理Ａ３の具体例の続きを示す説明図である。
【図２１】選択処理Ａ４が適用され得るシステムの構成例を示す説明図である。
【図２２】管理サーバーの基地局情報記憶部が記憶する基地局情報の具体例を示す説明図である。
【図２３】選択処理Ａ４を示すフローチャートである。
【図２４】選択処理Ａ４を示すフローチャートである。
【図２５】選択処理Ａ４の具体例の続きを示す説明図である。
【図２６】基地局の動作例を示すフローチャートである。
【図２７】基地局情報記憶部が記憶する基地局情報の具体例を示す説明図である。
【図２８】受信基地局の選択処理Ｂ１を示すフローチャートである。
【図２９】基地局と無線通信端末の位置関係の一例を示す説明図である。
【図３０】選択処理Ｂ１の具体例を示す説明図である。
【図３１】受信基地局の選択処理Ｂ２を示すフローチャートである。
【図３２】基地局と無線通信端末の位置関係の一例を示す説明図である。
【図３３】選択処理Ｂ２の具体例を示す説明図である。
【図３４】受信基地局の選択処理Ｂ３を示すフローチャートである。
【図３５】基地局と無線通信端末の位置関係の一例を示す説明図である。
【図３６】選択処理Ｂ３の具体例を示す説明図である。
【図３７】受信基地局の選択処理Ｂ４を示すフローチャートである。
【図３８】無線通信端末の分布例を示す説明図である。
【図３９】選択処理Ｂ４の具体例を示す説明図である。
【図４０】受信基地局の選択処理Ｂ５を示すフローチャートである。
【図４１】無線通信端末の分布の変化を示す説明図である。
【図４２】選択処理Ｂ５の具体例を示す説明図である。
【図４３】制御部の構成を示す説明図である。
【図４４】第１の調整処理を示すフローチャートである。
【図４５】基地局が有する端末情報の具体例を示す説明図である。
【図４６】第１の調整処理の具体例を示す説明図である。
【図４７】第２の調整処理を示すフローチャートである。
【図４８】第２の調整処理を示すフローチャートである。
【図４９】無線通信端末の分布例を示す説明図である。
【図５０】管理サーバーの端末情報記憶部に記憶される端末情報の具体例を示す説明図である。
【図５１】管理サーバーの基地局情報記憶部に記憶される基地局情報の具体例を示す説明図である。
【図５２】第２の調整処理の具体例を示す説明図である。
【図５３】管理サーバーのハードウェア構成を示したブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。例えば、実質的に同一の機能構成または論理的意義を有する複数の構成を、必要に応じて無線通信端末２０Ａ、２０Ｂおよび２０Ｃのように区別する。ただし、実質的に同一の機能構成を有する複数の構成要素の各々を特に区別する必要がない場合、複数の構成要素の各々に同一符号のみを付する。例えば、無線通信端末２０Ａ、２０Ｂおよび２０Ｃを特に区別する必要が無い場合には、各無線通信端末を単に無線通信端末２０と称する。
【００１８】
また、以下に示す項目順序に従って本開示を説明する。
１．無線通信システムの構成
１−１．全体構成
１−２．データパケットの構成
１−３．無線通信端末の構成
１−４．基地局の構成
１−５．管理サーバーの構成
２．受信基地局の選択処理Ａ（復調に成功した際の合成回数を利用）
２−１．選択処理Ａ１（１の基地局から復調成功通知を受信）
２−２．選択処理Ａ２（１の基地局から復調成功通知を受信）
２−３．選択処理Ａ３（複数の基地局から復調成功通知を受信）
２−４．選択処理Ａ４（無線通信端末の移動方向を推定）
２−５．補足
３．受信基地局の選択処理Ｂ（基地局情報を利用）
３−１．選択処理Ｂ１（１の基地局から復調成功通知を受信）
３−２．選択処理Ｂ２（同時処理可能台数を利用）
３−３．選択処理Ｂ３（受信可能エリアを利用）
３−４．選択処理Ｂ４（処理対象端末台数を利用）
３−５．選択処理Ｂ５（処理対象端末台数の変化に対応）
４．端末情報の優先順位の調整処理
４−１．第１の調整処理（復調成功通知に応じた調整）
４−２．第２の調整処理（ローミング契約を考慮した優先順位の調整）
５．ハードウェア構成
６．むすび
【００１９】
＜＜１．無線通信システムの構成＞＞
＜１−１．全体構成＞
図１は、本開示の実施形態による無線通信システムの構成を示す説明図である。図１に示したように、本開示の実施形態による無線通信システムは、基地局１０と、無線通信端末２０と、管理サーバー３０と、を備える。
【００２０】
基地局１０は、無線通信端末２０と無線通信を行う機能、および、管理サーバー３０と有線通信を行う機能を有する。例えば、基地局１０は、セル内に位置する無線通信端末２０と無線通信を行う。図１においては、各基地局１０のセルの範囲を一点鎖線で模式的に示している。図１に示した例では、基地局１０Ａは、基地局１０Ａのセル内に位置する無線通信端末２０Ａと無線通信を行い、基地局１０Ｂは、基地局１０Ｂのセル内に位置する無線通信端末２０Ｂと無線通信を行う。無線通信端末２０Ｂの位置は基地局１０Ｃのセルにも含まれるので、基地局１０Ｃも無線通信端末２０Ｂと無線通信を行い得る。基地局１０は、無線通信端末２０から送信されたデータパケットの復調に成功すると、当該無線通信端末２０の端末ＩＤを含む復調成功通知を管理サーバー３０に送信する。
【００２１】
無線通信端末２０は、任意のデータを含むデータパケットを基地局１０に無線送信する。任意のデータは、センサにより取得されるセンサデータであってもよく、センサとしては、加速度センサ、ジャイロセンサ、温度センサ、気圧センサ、音圧センサ、脈拍センサまたはＧＰＳ（Ｇｌｏｂａｌ  Ｐｏｓｉｔｉｏｎｉｎｇ  Ｓｙｓｔｅｍ）などの、多様なセンサが挙げられる。
【００２２】
無線通信端末２０から送信されたデータパケットに含まれるデータは、基地局１０から、図示しない例えばアプリケーションサーバに転送されてもよい。データパケットに含まれるデータがセンサデータである場合、アプリケーションサーバはセンサデータを用いたサービスを提供し得る。センサデータを用いたサービスは、興味対象の位置を確認するサービス、および興味対象の行動を管理するサービスなど、多岐に渡る。興味対象の位置を確認するサービスに関しては、例えば、ＧＰＳ機能を有する無線通信端末２０を高齢者や子供が装着し、アプリケーションサーバが基地局１０を介して無線通信端末２０から位置情報を取得しておくことにより、家族や行政に高齢者や子供の位置を提供することが可能である。興味対象の行動を管理するサービスに関しては、例えば、加速度センサを有する無線通信端末２０を牛や豚などの家畜に装着させ、アプリケーションサーバが基地局１０を介して無線通信端末２０から家畜の動きに関する情報を取得することにより、放牧地での家畜の行動管理を行うことが可能である。
【００２３】
なお、本開示の実施形態による無線通信端末２０は、低消費電力の実現のために、ダウンリンク信号の受信機能は有効化されない、または、制限される。このため、無線通信端末２０は、基地局１０からのシグナリングによる通信リソースの割当てを受けず、自律的に決定した通信リソースを用いてデータパケットを送信する。
【００２４】
管理サーバー３０は、各無線通信端末２０から送信されるデータパケットの復調を試みるべき受信基地局を複数の基地局１０から選択する。ある無線通信端末２０の受信基地局として選択された基地局１０が当該無線通信端末２０から送信されるデータパケットの復調を試み、他の基地局１０は当該無線通信端末２０から送信されるデータパケットの復調を試みない。
【００２５】
管理サーバー３０の機能を補足すると、上述したように、無線通信端末２０は基地局１０からのシグナリングに基づかずに動作するので、基地局１０は、いずれの無線通信端末２０がいずれの通信リソースを用いてデータパケットを送信するかを把握することが困難である。この場合、基地局１０は、全ての無線通信端末２０のための復調処理を常時行うことにより、無線通信端末２０から送信されたデータパケットに含まれるデータを復調し得る。しかし、基地局１０のセル内に存在しない無線通信端末２０のための復調処理は本来不要である。セル内に存在しない無線通信端末２０のための復調処理まで基地局１０が常時行うと、基地局１０の処理負荷が膨大になり、基地局１０の処理負荷が基地局１０の処理能力をオーバーフローすることが懸念される。このため、管理サーバー３０が、各無線通信端末２０から送信されるデータパケットの復調を試みるべき受信基地局を選択することにより、基地局１０における復調処理に関する処理負荷の軽減を実現する。受信基地局を選択処理については、「２．受信基地局の選択処理Ａ」および「３．受信基地局の選択処理Ｂ」において詳細に説明する。
【００２６】
＜１−２．フレーム構成＞
ここで、図２を参照し、無線通信端末２０が送信するデータパケットの構成の一例を説明する。
【００２７】
図２は、データパケットの構成の具体例を示す説明図である。図２に示したように、データパケットは、プリアンブル５１、ＰＨＹヘッダ５２、ＭＡＣヘッダ５３、データ５４およびＣＲＣ５５を含む。
【００２８】
プリアンブル５１は、基地局１０においてパケットの検出および同期の獲得のために用いられる信号パターンである。ＰＨＹヘッダ５２は、物理フレームに関する情報を保持する部分である。物理フレームに関する情報としては、ＰＨＹヘッダ５２以降の部分（ＭＡＣヘッダ５３〜ＣＲＣ５５）の長さおよび変調方式などが挙げられる。基地局１０は、ＰＨＹヘッダに保持された情報を用いて、ＰＨＹヘッダ５２以降の部分を受信する。
【００２９】
ＭＡＣヘッダ５３は、送信元である無線通信端末２０のアドレス情報、およびデータ５４の種類などを保持する。データ５４は無線通信端末２０から送信される実データであり、データ５４には例えばセンサデータが格納される。ＣＲＣ（Ｃｙｃｌｉｃ  Ｒｅｄｕｎｄａｎｃｙ  Ｃｈｅｃｋ）５５は当該パケットの誤り検出のために用いられる情報である。
【００３０】
続いて、基地局１０、無線通信端末２０および管理サーバー３０の各々の概略構成を順次説明する。
【００３１】
＜１−３．無線通信端末の構成＞
図３は、無線通信端末２０の構成を示す機能ブロック図である。図３に示したように、無線通信端末２０は、センサ部２０４、無線通信部２０８および制御部２１６を備える。
【００３２】
センサ部２０４は、１または２以上のセンサからなる。センサ部２０４は、ＧＰＳ処理部、加速度センサ、ジャイロセンサ、温度センサ、気圧センサ、音圧センサまたは脈拍センサなどのセンサを有してもよい。
【００３３】
無線通信部２０８は、基地局１０への無線信号の送信処理を行う。より具体的に説明すると、無線通信部２０８は、制御部２１６から供給されるベースバンドの送信信号を変調し、変調により得られた電気信号およびプリアンブルを含むデータパケットをアンテナにより無線送信する。
【００３４】
制御部２１６は、無線通信端末２０の動作全般を制御する。例えば、制御部２１６は、センサ部２０４から供給されるデータを含む送信信号を生成し、当該送信信号を無線通信部２０８に供給する。
【００３５】
＜１−４．基地局の構成＞
図４は、基地局１０の構成を示す説明図である。図４に示したように、基地局１０は、端末情報記憶部１０４、無線通信部１０８、復調部１１２、制御部１１６および有線通信部１２０を備える。
【００３６】
端末情報記憶部１０４は、無線通信端末２０から送信されたデータパケットを復調するために用いられる端末情報を記憶する。端末情報は、例えば、プリアンブル、変調方式、変調レートまたは暗号鍵を含んでもよい。当該端末情報は、有線通信部１２０を介して管理サーバー３０から受信される。
【００３７】
無線通信部１０８は、無線通信端末２０から送信されたデータパケットの受信処理を行う。より具体的に説明すると、無線通信部１０８は、無線通信端末２０から送信されたデータパケット（例えば、９２０ＭＨｚ帯の無線信号）をアンテナにより電気信号に変換し、当該電気信号にアナログ処理およびダウンコンバージョンを施すことにより、ベースバンドの受信信号を出力する。
【００３８】
復調部１１２は、無線通信部１０８から入力されるベースバンドの受信信号から、データパケットの復調を試みる。具体的には、復調部１１２は、端末情報記憶部１０４に記憶されている各端末情報に含まれるプリアンブルを用いてパケット検出を継続的に試みる。そして、ある端末情報に含まれるプリアンブルを用いてデータパケットが検出された場合、復調部１１２は、当該端末情報に含まれる変調方式、変調レートまたは暗号鍵などの復調用情報を用いて、データパケットの復調を試みる。
【００３９】
制御部１１６は、基地局１０の動作全般を制御する。例えば、制御部１１６は、復調部１１２がデータパケットの復調に成功した場合、当該データパケットの送信元である無線通信端末２０（送信元端末）の端末ＩＤを含む復調成功通知を、有線通信部１２０に管理サーバー３０へ送信させる。
【００４０】
有線通信部１２０は、管理サーバー３０とのインターフェースであって、管理サーバー３０と所定のパケットフォーマットを用いて有線通信を行う。有線通信部１２０は、上記の復調成功通知を管理サーバー３０に送信する送信部、管理サーバー３０から端末情報および端末情報の破棄の指示を受信する受信部としての機能を包含する。ただし、基地局１０と管理サーバー３０との間の通信は無線で行われてもよく、その場合、基地局１０は有線通信部１２０を備えなくてもよい。
【００４１】
＜１−５．管理サーバーの構成＞
図５は、管理サーバー３０の構成を示す説明図である。図５に示したように、管理サーバー３０は、端末情報記憶部３０４と、基地局情報記憶部３０８と、制御部３１６と、通信部３２０と、を備える。
【００４２】
端末情報記憶部３０４は、無線通信端末２０から送信されたデータパケットを復調するために用いられる端末情報を記憶する。端末情報記憶部３０４に端末情報を記憶させるアクティベートは、無線通信端末２０の製造者によって無線通信端末２０の製造時に行われてもよいし、無線通信端末２０の販売者によって無線通信端末２０の販売時に行われてもよいし、無線通信端末２０の購入者によって無線通信端末２０の購入後に行われてもよい。
【００４３】
基地局情報記憶部３０８は、各基地局１０の基地局情報を記憶する。基地局１０の基地局情報は、当該基地局１０の位置情報、処理能力情報などを含んでもよい。
【００４４】
通信部３２０は、各基地局１０とのインターフェースである。通信部３２０は、各基地局１０から復調成功通知を受信する受信部、および、ある無線通信端末２０に対応する受信基地局として選択された基地局１０に当該無線通信端末２０の端末情報を送信する送信部の機能を包含する。
【００４５】
制御部３１６は、管理サーバー３０の動作全般を制御する。特に、制御部３１６は、ある無線通信端末２０から送信されたデータパケットについての復調成功通知がいずれの基地局１０から受信されたかに基づき、以降、当該無線通信端末２０から送信されるデータパケットの復調を試みるべき受信基地局を選択する基地局選択部３１８の機能を有する。
【００４６】
本明細書において説明される受信基地局の選択処理は、２つの選択処理（選択処理Ａおよび選択処理Ｂ）に大別される。さらに、本明細書において説明される受信基地局の選択処理は、選択処理Ａおよび選択処理Ｂの中でもさらに幾つかの処理に細分化される。以下では、選択処理Ａに属する幾つかの処理、および選択処理Ｂに属する幾つかの処理を順次詳細に説明する。
【００４７】
＜２．受信基地局の選択処理Ａ（復調に成功した際の合成回数を利用）＞
選択処理Ａは、基地局１０が無線通信端末２０から送信されたデータパケットの復調に成功した際のデータパケットの合成回数に基づき、受信基地局を選択する処理である。当該選択処理Ａの具体的な説明に先立ち、基地局１０におけるデータパケットの合成について説明する。
【００４８】
無線通信システムをより低コストで実現するために、１つの基地局１０がカバーするセルエリアを広くすること、すなわち、長距離伝送が有効である。長距離伝送では、無線通信システムを構成する基地局１０の数を低減することが可能である。
【００４９】
また、利用可能な最大送信電力が制限されるように無線通信端末２０のハードウェアを設計することにより、無線通信端末２０のコストを下げることも可能である。しかし、送信電力が制限されると、通信可能な距離も制限される。この点に関し、無線通信端末２０が低送信電力で長距離伝送を行う技術として、例えばセルラー通信で採用されているＨ−ＡＲＱ（Ｈｙｂｒｉｄ−ＡＲＱ）が存在する。Ｈ−ＡＲＱは、送信側が同一パケットを繰り返し送信し、受信側が複数のパケットを信号処理により合成することで、受信感度を向上するための技術である。
【００５０】
具体的には、Ｈ−ＡＲＱに従う無線通信端末２０は、図２を参照して説明したデータパケットを、送信回数が上限に達するまで繰り返し送信する。基地局１０は、データパケットが受信される度にデータパケットを合成し、合成後のデータパケットの復調を試み、復調が成功した場合、データパケットの送信元端末の端末ＩＤおよびデータパケットの合成回数を含む復調成功通知を管理サーバー３０に送信する。図６を参照し、当該基地局１０の動作を整理する。
【００５１】
図６は、基地局１０の動作例を示すフローチャートである。基地局１０は、端末情報記憶部１０４に保持している各端末情報について、図６のＳ１５２〜Ｓ１７２に示した処理を実行する。
【００５２】
具体的には、まず、復調部１１２が端末情報に含まれるプリアンブルを用いてデータパケットの検出処理を行う（Ｓ１５２）。ここでデータパケットが検出されなかった場合（Ｓ１５４／ＮＯ）、当該端末情報についての処理を終了する。一方、データパケットが検出された場合（Ｓ１５４／ＹＥＳ）、復調部１１２は、当該データパケットの送信元端末から当該データパケットと同一のパケットを以前に受信済みであるか否かを判断する（Ｓ１５６）。当該データパケットと同一のパケットが受信済みでない場合（Ｓ１５６／ＮＯ）、復調部１１２は、当該データパケットの復調を試みる（Ｓ１５８）。一方、当該データパケットと同一のパケットが受信済みである場合（Ｓ１５６／ＹＥＳ）、復調部１１２は、受信済みのパケットと当該データパケットを合成し（Ｓ１６０）、送信元端末についての合成回数Ｎをカウントアップする（Ｓ１６２）。そして、復調部１１２は、合成後のデータパケットの復調を試みる（Ｓ１５８）。
【００５３】
Ｓ１５８においてデータパケットの復調が成功した場合（Ｓ１６４／ＹＥＳ）、有線通信部１２０は、合成回数Ｎおよびデータパケットの送信元端末の端末ＩＤを含む復調成功通知を管理サーバー３０に送信する（Ｓ１６６）。そして、復調部１１２は合成回数Ｎを０にリセットし、送信元端末について記憶しているデータパケットがあれば当該データパケットを消去する（Ｓ１６８）。
【００５４】
一方、Ｓ１５８においてデータパケットの復調が失敗した場合（Ｓ１６４／ＮＯ）、復調部１１２は、復調の対象となったデータパケットをメモリに記憶しておく（Ｓ１７０）。そして、基地局１０によって受信された一連の同一のデータパケットのうちの最初のデータパケットの受信から所定時間が経過している場合（Ｓ１７２／ＹＥＳ）、復調部１１２は、合成回数Ｎを０にリセットし、送信元端末について記憶しているデータパケットがあれば当該データパケットを消去する（Ｓ１６８）。
【００５５】
Ｓ１７２の分岐を補足すると、無線通信端末２０は、同一のデータパケットを上限回数に達するまで繰り返し送信する。一連の同一のデータパケットが送信される期間長として想定される所定時間が最初のデータパケットの受信から経過した場合、一連の同一のデータパケットの送信は終了したと考えられる。このため、復調部１１２は、一連の同一のデータパケットのうちの最初のデータパケットの受信から所定時間が経過した場合、次の一連のデータパケットの送信に備え、合成回数Ｎを０にリセットし、メモリに記憶している受信済み、または合成済みのデータパケットを消去する。
【００５６】
＜２−１．選択処理Ａ１（１の基地局から復調成功通知を受信）＞
以上、基地局１０によるデータパケットの合成について説明した。続いて、図７〜図１０を参照し、受信基地局の選択処理Ａ１を説明する。ある無線通信端末２０の端末情報のアクティベートの時点では、当該無線通信端末２０がどの基地局１０のセル内に位置するか不明であるので、管理サーバー３０は全ての基地局１０を当該無線通信端末２０の受信基地局として選択し、全ての基地局１０に当該無線通信端末２０の端末情報を送信する。受信基地局の選択処理Ａ１は、当該アクティベートの後に行われることが想定される、受信基地局を絞り込むための処理である。
【００５７】
図７は、受信基地局の選択処理Ａ１を示すフローチャートである。まず、管理サーバー３０の通信部３２０が基地局１０から基地局ＩＤ、無線通信端末２０の端末ＩＤおよび合成回数Ｎを含む復調成功通知を受信すると（Ｓ４０２）、基地局選択部３１８は、復調成功通知に含まれる合成回数Ｎと閾値を比較する（Ｓ４０４）。
【００５８】
合成回数Ｎが閾値未満である場合（Ｓ４０４／ＹＥＳ）、基地局選択部３１８は、復調成功通知の送信元基地局を、復調成功通知に含まれる端末ＩＤに対応する無線通信端末２０についての受信基地局として選択する（Ｓ４０６）。合成回数Ｎが少ない場合、無線通信端末２０が復調成功通知の送信元基地局の直ぐ近くにいると考えられるからである。そして、通信部３２０は、受信基地局以外の基地局１０に、復調成功通知に含まれる端末ＩＤに対応する端末情報の破棄を指示する信号を送信する（Ｓ４０８）。
【００５９】
一方、合成回数Ｎが閾値以上である場合（Ｓ４０４／ＮＯ）、基地局選択部３１８は、基地局情報記憶部３０８を参照し、復調成功通知の送信元基地局の隣接基地局を抽出する（Ｓ４１０）。また、基地局選択部３１８は、復調成功通知の送信元基地局を受信基地局として選択する（Ｓ４１２）。そして、通信部３２０は、受信基地局および隣接基地局以外の基地局１０に、復調成功通知に含まれる端末ＩＤに対応する端末情報の破棄を指示する信号を送信する（Ｓ４１４）。
【００６０】
端末情報の破棄を指示された基地局１０は、以降、当該端末情報を用いた復調処理を行わない。なお、管理サーバー３０は、該当する無線通信端末２０から送信されたデータパケットの復調を試みないことを基地局１０に指示する信号として、端末情報の破棄を指示する信号に代えて、当該端末情報を用いた復調処理の停止を指示する信号を送信してもよい。この場合、基地局１０は、端末情報の保持は継続するものの、当該端末情報を用いた復調処理を停止することができる。
【００６１】
続いて、上述した選択処理Ａ１の具体例を説明する。
【００６２】
図８は、基地局１０と無線通信端末２０の位置関係の一例を示す説明図である。図８に示した例では、無線通信端末２０Ａが基地局１０Ｂのセル内に位置する。このため、本来は、基地局１０Ｂのみが無線通信端末２０Ａの端末情報を保持し、基地局１０Ｂのみが無線通信端末２０Ａから送信されるデータパケットの復調を試みれば足りる。しかし、無線通信端末２０Ａの端末情報のアクティベートの直後では、無線通信端末２０Ａがどこに位置するか不明であるので、図９の上段に示したように、全ての基地局１０Ａ〜１０Ｄが無線通信端末２０Ａの端末情報（端末情報Ａ）を保持している状態を想定する。図８に示した無線通信端末２０Ａと基地局１０の位置関係、および図９の上段に示した端末情報Ａの保持状況において行われる選択処理Ａ１は図１０に示す通りである。
【００６３】
図１０は、選択処理Ａ１の具体例を示す説明図である。図１０に示したように、基地局１０Ａ〜１０Ｄは、端末情報Ａを保持しており（Ｓ４２２）、端末情報Ａを用いた復調処理を継続的に実行している（Ｓ４２４）。ここで、無線通信端末２０Ａがデータパケットの送信を開始し（Ｓ４２６）、基地局１０Ｂがデータパケットの復調に５回目の合成で成功すると（Ｓ４２８）、無線通信端末２０Ａの端末ＩＤおよび合成回数Ｎ（５回）を含む復調成功通知を管理サーバー３０に送信する（Ｓ４３０）。
【００６４】
管理サーバー３０の基地局選択部３１８は、基地局１０Ｂから受信された復調成功通知に含まれる合成回数Ｎ（５回）が閾値（例えば、１０回）未満であることから、無線通信端末２０Ａに対応する受信基地局として基地局１０Ｂを選択する（Ｓ４３２）。そして、通信部３２０は、受信基地局以外の基地局である基地局１０Ａ、１０Ｃおよび１０Ｄに端末情報Ａの破棄を指示し（Ｓ４３４）、基地局１０Ａ、１０Ｃおよび１０Ｄは端末情報Ａを破棄する（Ｓ４３６）。結果、図９の下段に示したように、基地局１０Ｂのみが端末情報Ａを保持する。なお、基地局１０Ｂから受信された復調成功通知に含まれる合成回数Ｎ（５回）が閾値以上であった場合には、基地局１０Ｂの隣接基地局である基地局１０Ａおよび１０Ｃには端末情報Ａの破棄が指示されず、基地局１０Ｄにのみ端末情報Ａの破棄が指示される。
【００６５】
このように、選択処理Ａ１によれば、ある無線通信端末２０の端末情報を保持する基地局１０の数、および当該無線通信端末２０から送信されるデータパケットの復調を試みる基地局１０の数が低減される。従って、各基地局１０における復調に関する処理負荷を軽減することが可能である。
【００６６】
＜２−２．選択処理Ａ２（１の基地局から復調成功通知を受信）＞
次に、図１１〜図１４を参照し、受信基地局の選択処理Ａ２を説明する。図１１は、受信基地局の選択処理Ａ２を示すフローチャートである。Ｓ４０２〜Ｓ４１０の処理は、選択処理Ａ１で説明したＳ４０２〜Ｓ４１０の処理と実質的に同一である。
【００６７】
選択処理Ａ２では、基地局選択部３１８は、Ｓ４１０において抽出した隣接基地局、および復調成功通知の送信元基地局を、受信基地局として選択する（Ｓ４１３）。そして、通信部３２０は、受信基地局として選択された隣接基地局に、復調成功通知に含まれる端末ＩＤに対応する端末情報を送信する（Ｓ４１５）。さらに、通信部３２０は、受信基地局以外の基地局に、復調成功通知に含まれる端末ＩＤに対応する端末情報の破棄を指示する信号を送信する（Ｓ４０８）。
【００６８】
なお、各基地局１０が保持している端末情報を管理サーバー３０が管理しており、Ｓ４１０で抽出された隣接基地局が既に復調成功通知に含まれる端末ＩＤに対応する端末情報を保持している場合、当該端末情報はＳ４１５において隣接基地局に送信されなくてもよい。
【００６９】
続いて、上述した選択処理Ａ２の具体例を説明する。
【００７０】
図１２は、基地局１０と無線通信端末２０の位置関係の一例を示す説明図である。図１２に示した例では、無線通信端末２０Ａが移動して、基地局１０Ｂのセルと基地局１０Ｃのセルが重なる範囲に無線通信端末２０Ａが位置する。ここで、図１３の上段に示したように、基地局１０Ｂのみが無線通信端末２０Ａの端末情報（端末情報Ａ）を保持している状態を想定する。図１２に示した無線通信端末２０Ａと基地局１０の位置関係、および図１３の上段に示した端末情報Ａの保持状況において行われる選択処理Ａ２は図１４に示す通りである。
【００７１】
図１４は、選択処理Ａ２の具体例を示す説明図である。図１４に示したように、基地局１０Ｂは、端末情報Ａを保持しており（Ｓ４４２）、端末情報Ａを用いた復調処理を継続的に実行している（Ｓ４４４）。ここで、無線通信端末２０Ａがデータパケットの送信を開始し（Ｓ４４６）、基地局１０Ｂがデータパケットの復調に１５回目の合成で成功すると（Ｓ４４８）、基地局１０Ｂは、無線通信端末２０Ａの端末ＩＤおよび合成回数Ｎ（１５回）を含む復調成功通知を管理サーバー３０に送信する（Ｓ４５０）。
【００７２】
管理サーバー３０の基地局選択部３１８は、基地局１０Ｂから受信された復調成功通知に含まれる合成回数Ｎ（１５回）が閾値（例えば、１０回）以上であることから、基地局１０Ｂの隣接基地局である基地局１０Ａおよび１０Ｃを受信基地局に追加する（Ｓ４５２）。合成回数Ｎが多いことは、無線通信端末２０Ａが基地局１０Ｂから離れていることを意味するが、基地局１０Ｂから見た無線通信端末２０Ａの方向は不明であるので、選択処理Ａ２では、隣接基地局が一律的に受信基地局に追加される。
【００７３】
そして、通信部３２０は、受信基地局に追加された基地局１０Ａおよび１０Ｃに端末情報Ａを送信し（Ｓ４５４）、基地局１０Ａおよび１０Ｃは端末情報Ａを保持する（Ｓ４５６）。結果、図１３の下段に示したように、基地局１０Ａ〜１０Ｃが端末情報Ａを保持する。
【００７４】
このように、選択処理Ａ２によれば、ある基地局１０のセル内に位置する無線通信端末２０が、当該基地局１０のセルの外に移動する前に、当該基地局１０の隣接基地局でも当該無線通信端末２０から送信されたデータパケットを受信することが可能となる。従って、無線通信端末２０が見失われること、すなわち、いずれの基地局１０も無線通信端末２０から送信されたデータパケットを受信しなくなること、の発生を抑制できる。また、複数の基地局１０が同一の無線通信端末２０から送信されたデータパケットを受信できるので、マルチセルダイバーシチの効果を得ることが可能である。
【００７５】
＜２−３．選択処理Ａ３（複数の基地局から復調成功通知を受信）＞
次に、図１５〜図２０を参照し、受信基地局の選択処理Ａ３を説明する。選択処理Ａ１および選択処理Ａ２は、ある無線通信端末２０についての復調成功通知が１つの基地局１０から受信されることを想定した処理であるが、選択処理Ａ３は、ある無線通信端末２０についての復調成功通知が複数の基地局１０から受信されることを想定した処理である。
【００７６】
図１５は、受信基地局の選択処理Ａ３を示すフローチャートである。まず、通信部３２０が基地局１０から基地局ＩＤ、無線通信端末２０の端末ＩＤおよび合成回数Ｎを含む復調成功通知を受信すると（Ｓ５０２）、基地局選択部３１８は、同一の端末ＩＤを含む複数の復調成功通知が受信されたか否かを判断する（Ｓ５０４）。
【００７７】
ここで、基地局１０によって復調に成功する合成回数は異なるので、同一の端末ＩＤを含む複数の復調成功通知は、複数の基地局１０から異なるタイミングで送信されることが予想される。このため、基地局選択部３１８は、ある端末ＩＤを含む最初の復調成功通知を受信した後の期間にも、当該端末ＩＤを含む２つ目以降の復調成功通知の受信を待機する。上記期間は、最初の復調成功通知の受信から所定時間後に終了する期間であってもよい。無線通信端末２０がデータパケットを繰り返し送信する回数（繰り返し送信数）および送信期間が既知である場合、基地局選択部３１８は、最初の復調成功通知に含まれる合成回数Ｎに基づいて送信期間の残り時間を推定し、残り時間が経過するまでの期間に２つ目以降の復調成功通知の受信を待機してもよい。いずれにしても、上記の「最初の復調成功通知」は、ある無線通信端末２０について２つ目以降の復調成功通知の受信を待機した前回の期間の後に、当該無線通信端末２０について最初に受信された復調成功通知であることに留意されたい。
【００７８】
同一の端末ＩＤを含む複数の復調成功通知が受信されなかった場合（Ｓ５０４／ＮＯ）、図１１を参照して説明したＳ４０４〜Ｓ４１５の処理が行われる。一方、同一の端末ＩＤを含む複数の復調成功通知が受信された場合（Ｓ５０４／ＹＥＳ）、基地局選択部３１８は、合成回数Ｎが閾値未満である復調成功通知があるか否かを判断する（Ｓ５０６）。合成回数Ｎが閾値未満である復調成功通知がある場合（Ｓ５０６／ＹＥＳ）、基地局選択部３１８は、合成回数Ｎが最も少ない復調成功通知の送信元基地局を受信基地局として選択する（Ｓ５０８）。一方、合成回数Ｎが閾値未満である復調成功通知がない場合（Ｓ５０６／ＮＯ）、基地局選択部３１８は、各復調成功通知の送信元基地局を受信基地局として選択する（Ｓ５１０）。
【００７９】
通信部３２０は、受信基地局以外の基地局に、復調成功通知に含まれる端末ＩＤに対応する端末情報の破棄を指示する信号を送信する（Ｓ５１２）。
【００８０】
続いて、上述した選択処理Ａ３の具体例を説明する。
【００８１】
図１６は、基地局１０と無線通信端末２０の位置関係の一例を示す説明図である。図１６に示した例では、基地局１０Ｂのセルと基地局１０Ｃのセルが重なる範囲に無線通信端末２０Ａが位置する。ここで、図１７の上段に示したように、基地局１０Ａ〜１０Ｃが無線通信端末２０Ａの端末情報（端末情報Ａ）を保持している状態を想定する。図１６に示した無線通信端末２０Ａと基地局１０の位置関係、および図１７の上段に示した端末情報Ａの保持状況において行われる選択処理Ａ３は図１８に示す通りである。
【００８２】
図１８は、選択処理Ａ３の具体例を示す説明図である。図１８に示したように、基地局１０Ａ〜１０Ｃは、端末情報Ａを保持しており（Ｓ５２２）、端末情報Ａを用いた復調処理を継続的に実行している（Ｓ５２４）。ここで、無線通信端末２０Ａがデータパケットの送信を開始し（Ｓ５２６）、基地局１０Ｂがデータパケットの復調に１５回目の合成で成功すると（Ｓ５２８）、基地局１０Ｂは、無線通信端末２０Ａの端末ＩＤおよび合成回数Ｎ（１５回）を含む復調成功通知を管理サーバー３０に送信する（Ｓ５３０）。
【００８３】
その後、基地局１０Ｃがデータパケットの復調に１８回目の合成で成功すると（Ｓ５３２）、基地局１０Ｃは、無線通信端末２０Ａの端末ＩＤおよび合成回数Ｎ（１８回）を含む復調成功通知を管理サーバー３０に送信する（Ｓ５３４）。
【００８４】
基地局１０Ｂから送信された復調成功通知に含まれる合成回数Ｎ（１５回）および基地局１０Ｃから送信された復調成功通知に含まれる合成回数Ｎ（１８回）の双方が閾値（例えば、１０回）以上である。このため、管理サーバー３０の基地局選択部３１８は、図１５に示したＳ５０６の分岐のＮＯに進み、Ｓ５１０に示したように、復調成功通知の送信元基地局である基地局１０Ｂおよび基地局１０Ｃを受信基地局として選択する（Ｓ５３６）。
【００８５】
そして、通信部３２０は、受信基地局として選択されなかった基地局１０Ａに、端末情報Ａの破棄を指示し（Ｓ５３８）、基地局１０Ａは端末情報Ａを破棄する（Ｓ５４０）。結果、図１７の下段に示したように、基地局１０Ｂおよび基地局１０Ｃが端末情報Ａを保持する。
【００８６】
図２０は、選択処理Ａ３の具体例の続きを示す説明図である。図２０に示したように、基地局１０Ｂおよび基地局１０Ｃが端末情報Ａを保持しており（Ｓ５５２）、基地局１０Ｂおよび基地局１０Ｃが端末情報Ａを用いた復調処理を継続的に実行している（Ｓ５５４）。ここで、無線通信端末２０Ａがデータパケットの送信を開始し（Ｓ５５６）、基地局１０Ｃがデータパケットの復調に５回目の合成で成功すると（Ｓ５５８）、基地局１０Ｃは、無線通信端末２０Ａの端末ＩＤおよび合成回数Ｎ（５回）を含む復調成功通知を管理サーバー３０に送信する（Ｓ５６０）。
【００８７】
その後、基地局１０Ｂがデータパケットの復調に２１回目の合成で成功すると（Ｓ５６２）、基地局１０Ｂは、無線通信端末２０Ａの端末ＩＤおよび合成回数Ｎ（２１回）を含む復調成功通知を管理サーバー３０に送信する（Ｓ５６４）。
【００８８】
管理サーバー３０によって受信された複数の復調成功通知のうちで、基地局１０Ｃから送信された復調成功通知に含まれる合成回数Ｎ（５回）が閾値（例えば、１０回）未満である。このため、管理サーバー３０の基地局選択部３１８は、図１５に示したＳ５０６の分岐のＹＥＳに進み、Ｓ５０８に示したように、合成回数Ｎが最も少ない復調成功通知の送信元基地局である基地局１０Ｃを受信基地局として選択する（Ｓ５６６）。
【００８９】
そして、通信部３２０は、受信基地局として選択されなかった基地局１０Ｂに、端末情報Ａの破棄を指示し（Ｓ５６８）、基地局１０Ｂは端末情報Ａを破棄する（Ｓ５７０）。結果、図１９の下段に示したように、基地局１０Ｃが端末情報Ａを保持する。
【００９０】
このように、選択処理Ａ３によれば、複数の基地局１０が同一の無線通信端末２０から送信されたデータパケットの復調に成功した場合に、各基地局１０における合成回数Ｎに応じて、当該無線通信端末２０に対応する受信基地局を適切に選択することが可能である。例えば、無線通信端末２０がいずれかの基地局１０の近傍に存在する場合（合成回数Ｎが閾値未満である場合）には、当該基地局１０のみが無線通信端末２０から送信されたデータパケットを復調することで、十分に受信性能が担保される。従って、無線通信端末２０がいずれかの基地局１０の近傍に存在する場合、当該無線通信端末２０の受信基地局を当該基地局１０に限定することで、他の基地局１０の処理リソースを他の無線通信端末２０に割くことが可能になるので、システム全体で多端末収容を実現することが可能である。
【００９１】
＜２−４．選択処理Ａ４（無線通信端末の移動方向を推定）＞
次に、図２１〜図２５を参照して、受信基地局の選択処理Ａ４を説明する。選択処理Ａ４は、セル（受信可能エリア）の大きさが異なる基地局１０が混在する場合に適用され得る処理である。まず、図２１を参照し、選択処理Ａ４が適用され得るシステムの構成例を説明する。
【００９２】
図２１は、選択処理Ａ４が適用され得るシステムの構成例を示す説明図である。図２１に示した例では、基地局１０Ａ〜基地局１０Ｃのセルよりも、基地局１０Ｘのセルの方が大きく、基地局１０Ｘのセルは基地局１０Ａ〜基地局１０Ｃの各々のセルを包含している。セルの大きさは、例えば、各基地局１０が有するアンテナの設置高さ、アンテナまたは受信機の性能などに依存する。管理サーバー３０は、各基地局１０と接続されており、各基地局１０の情報（基地局情報）を記憶している。
【００９３】
図２２は、管理サーバー３０の基地局情報記憶部３０８が記憶する基地局情報の具体例を示す説明図である。図２２に示したように、基地局情報は、基地局ＩＤ、位置、基地局クラス、および端末別直近合成回数を含む。基地局クラスは、各基地局１０の性能を示す指標であり、例えば、セルの大きさに対応する。このため、図２２に示した例では、相対的にセルが小さい基地局１０Ａ〜基地局１０Ｃには基地局クラス「１」が対応付けられており、相対的にセルが大きい基地局１０Ｘには基地局クラス「２」が対応付けられている。端末別直近合成回数は、基地局１０から各無線通信端末２０に関して直近で送信された復調成功通知に含まれていた合成回数Ｎである。例えば、図２２に示した例では、基地局ＩＤ「Ａ」に、端末別直近合成回数「端末Ａ：５回」が関連付けられており、これは、基地局ＩＤ「Ａ」を有する基地局１０Ａから直近に送信された無線通信端末２０Ａ（端末Ａ）に関する復調成功通知に含まれていた合成回数が５回であったことを示す。
【００９４】
図２３および図２４は、選択処理Ａ４を示すフローチャートである。まず、通信部３２０が基地局１０から基地局ＩＤ、無線通信端末２０の端末ＩＤおよび合成回数Ｎを含む復調成功通知を受信すると（Ｓ６０２）、基地局選択部３１８は、当該復調成功通知に含まれる基地局ＩＤに関連付けられている、当該復調成功通知に含まれる端末ＩＤについての直近合成回数を基地局情報記憶部３０８から取得する（Ｓ６０４）。
【００９５】
そして、基地局選択部３１８は、今回の合成回数Ｎと直近合成回数の比較から、復調成功通知の送信元基地局と無線通信端末２０との位置関係の変化を推定する（Ｓ６０６）。例えば、今回の合成回数Ｎが直近合成回数よりも小さい場合、送信元基地局に無線通信端末２０が近づいたことが推定され、今回の合成回数Ｎが直近合成回数よりも大きい場合、無線通信端末２０が送信元基地局から離れたことが推定される。
【００９６】
その後、基地局選択部３１８は、今回の合成回数Ｎで基地局情報（端末別直近合成回数）を更新する（Ｓ６０８）。管理サーバー３０は、Ｓ６０２で受信した復調成功通知に含まれる端末ＩＤと同じ端末ＩＤを含む未処理の復調成功通知を受信している場合、当該未処理の復調成功通知についてＳ６０２〜Ｓ６０８の処理を繰り返す（Ｓ６１０）。
【００９７】
続いて、管理サーバー３０は、基地局クラスごとに、一つの端末ＩＤに着目して、Ｓ６１２〜Ｓ６２０の処理を実行する。すなわち、基地局選択部３１８は、同一の端末ＩＤを含む複数の復調成功通知が同一クラスの基地局１０から受信されたか否かを判断する（Ｓ６１２）。同一の端末ＩＤを含む複数の復調成功通知が同一クラスの基地局１０から受信された場合（Ｓ６１２／ＹＥＳ）、図１５を参照して説明したＳ５０６〜Ｓ５１２の処理が行われる。
【００９８】
同一の端末ＩＤを含む複数の復調成功通知が同一クラスの基地局１０から受信されなかった場合（Ｓ６１２／ＮＯ）、基地局選択部３１８は、復調成功通知に含まれる合成回数Ｎが閾値未満であるか否かを判断する（Ｓ６１４）。合成回数Ｎが閾値未満である場合（Ｓ６１４／ＹＥＳ）、図１１を参照して説明したＳ４０６〜Ｓ４０８の処理が行われる。
【００９９】
合成回数Ｎが閾値以上である場合（Ｓ６１４／ＮＯ）、基地局選択部３１８は、処理対象の端末ＩＤと同一の端末ＩＤを含む復調成功通知が他クラスの基地局１０から受信されているかを判断する（Ｓ６１６）。処理対象の端末ＩＤと同一の端末ＩＤを含む復調成功通知が他クラスの基地局１０から受信されていない場合（Ｓ６１６／ＮＯ）、図１１を参照して説明したＳ４１０〜Ｓ４１５の処理が行われる。
【０１００】
一方、処理対象の端末ＩＤと同一の端末ＩＤを含む復調成功通知が他クラスの基地局１０から受信されている場合、図２４に示す受信基地局の選択処理が行われる（Ｓ６２０）。
【０１０１】
具体的には、基地局選択部３１８は、Ｓ６０６において推定した、各基地局１０と無線通信端末２０との位置関係の変化の組合わせから、無線通信端末２０の移動方向を推定する（Ｓ６２２）。そして、基地局選択部３１８は、無線通信端末２０の移動方向に基づき、無線通信端末２０が近づいている基地局１０を受信基地局に追加し、追加された基地局１０に通信部３２０が無線通信端末２０の端末情報を送信する（Ｓ６２４）。また、通信部３２０は、受信基地局以外の基地局に、処理対象の端末ＩＤに対応する端末情報の破棄を指示する（Ｓ６２８）。
【０１０２】
続いて、図２５を参照し、図２１に示したシステムの構成において無線通信端末２０Ａが基地局１０Ｂのセルから基地局１０Ｃのセルに向かって移動している場合に行われる選択処理Ａ４の具体例を説明する。
【０１０３】
図２５は、選択処理Ａ４の具体例を示す説明図である。図２５に示したように、図２１に示した基地局１０Ｂおよび基地局１０Ｘが端末情報Ａを保持しており（Ｓ６３２）、端末情報Ａを用いた復調処理を継続的に実行している（Ｓ６３４）。ここで、無線通信端末２０Ａがデータパケット１の送信を開始し（Ｓ６３６）、基地局１０Ｂがデータパケット１の復調に１回目の合成で成功すると（Ｓ６３８）、基地局１０Ｂは、無線通信端末２０Ａの端末ＩＤおよび合成回数Ｎ（１回）を含む復調成功通知を管理サーバー３０に送信する（Ｓ６４０）。その後、基地局１０Ｘがデータパケット１の復調に１０回目の合成で成功すると（Ｓ６４２）、基地局１０Ｘは、無線通信端末２０Ａの端末ＩＤおよび合成回数Ｎ（１０回）を含む復調成功通知を管理サーバー３０に送信する（Ｓ６４４）。管理サーバー３０は、Ｓ６４０で受信された復調成功通知に含まれる合成回数Ｎ（１回）を、基地局１０Ｂに関する、無線通信端末２０Ａの端末別直近合成回数として記憶する。同様に、管理サーバー３０は、Ｓ６４４で受信された復調成功通知に含まれる合成回数Ｎ（１０回）を、基地局１０Ｘに関する、無線通信端末２０Ａの端末別直近合成回数として記憶する。
【０１０４】
さらに、無線通信端末２０Ａがデータパケット２の送信を開始し（Ｓ６４６）、基地局１０Ｘがデータパケット２の復調に７回目の合成で成功すると（Ｓ６４８）、基地局１０Ｘは、無線通信端末２０Ａの端末ＩＤおよび合成回数Ｎ（７回）を含む復調成功通知を管理サーバー３０に送信する（Ｓ６５０）。その後、基地局１０Ｂがデータパケット２の復調に１５回目の合成で成功すると（Ｓ６５２）、基地局１０Ｂは、無線通信端末２０Ａの端末ＩＤおよび合成回数Ｎ（１５回）を含む復調成功通知を管理サーバー３０に送信する（Ｓ６５４）。
【０１０５】
ここで、基地局１０Ｂから受信された復調成功通知に含まれる今回の合成回数Ｎ（１５回）は、基地局１０Ｂに関して記憶されている直近合成回数（１回）より多い。従って、管理サーバー３０の基地局選択部３１８は、無線通信端末２０Ａが基地局１０Ｂから離れる方向に移動していると推定する（図２３に示したＳ６０６に対応）。一方、基地局１０Ｘから受信された復調成功通知に含まれる今回の合成回数Ｎ（７回）は、基地局１０Ｘに関して記憶されている直近合成回数（１０回）より少ない。従って、管理サーバー３０の基地局選択部３１８は、無線通信端末２０Ａが基地局１０Ｘから近づく方向に移動していると推定する（図２３に示したＳ６０６に対応）。
【０１０６】
さらに、基地局選択部３１８は、基地局１０Ｂの位置から離れる方向であって、かつ、基地局１０Ｘに近づく方向を、無線通信端末２０Ａの移動方向として推定する（図２４に示したＳ６２２に対応）。そして、基地局選択部３１８は、無線通信端末２０Ａの移動方向に基づき、無線通信端末２０Ａが近づいている基地局１０Ｃを受信基地局に追加する（Ｓ６５６）。
【０１０７】
管理サーバー３０の通信部３２０は、受信基地局に追加された基地局１０Ｃに端末情報Ａを送信し（Ｓ６５８）、基地局１０Ｃは端末情報Ａを保持して端末情報Ａを用いた復調処理を開始する（Ｓ６６０）。
【０１０８】
このように、選択処理Ａ４によれば、無線通信端末２０の移動方向の推定に基づき、無線通信端末２０から送信されるデータパケットの復調を試みるべき基地局１０をより適切に選択することが可能である。
【０１０９】
＜２−５．補足＞
無線通信端末２０が移動しながら周期的にデータパケットを送信する場合、選択処理Ａとして説明した処理により、無線通信端末２０の端末情報を保持する基地局１０が無線通信端末２０の移動に伴って変化する。しかし、無線通信端末２０がデータパケットを送信せずに幾つかのセル範囲を超えて移動することも考えられる。この場合、無線通信端末２０がデータパケットの送信を再開した際に、無線通信端末２０が属するセルの基地局１０が無線通信端末２０の端末情報を保持せず、いずれの基地局１０によっても当該データパケットが復調されないことが懸念される。
【０１１０】
そこで、管理サーバー３０の基地局選択部３１８は、無線通信端末２０から送信されたデータパケットについての復調成功通知が所定時間に亘っていずれの基地局１０からも受信されない場合、受信基地局に、現在の受信基地局の隣接基地局を追加してもよい。基地局選択部３１８は、無線通信端末２０から送信されたデータパケットについての復調成功通知が隣接基地局の追加から所定時間が経過してもいずれの基地局１０からも受信されない場合、さらなる隣接基地局を受信基地局に追加することを繰り返してもよい。
【０１１１】
かかる構成により、無線通信端末２０がデータパケットを送信せずに幾つかのセル範囲を超えて移動した場合であっても、当該無線通信端末２０がデータパケットの送信を再開した後にいずれかの基地局１０が当該データパケットの復調に成功することが可能となる。
【０１１２】
＜＜３．受信基地局の選択処理Ｂ（基地局情報を利用）＞＞
以上、基地局１０における合成回数を利用する受信基地局の選択処理Ａを説明した。続いて、受信基地局の選択処理Ｂを説明する。受信基地局の選択処理Ｂは、各基地局１０の受信可能エリアまたは処理対象の端末数などの基地局情報に基づいて受信基地局を選択する処理である。当該選択処理Ｂにおいては、無線通信端末２０および基地局１０間の通信方法は特に限定されず、基地局１０はデータパケットの合成を行わずにデータパケットの復調を行ってもよい。以下、図２６を参照して、選択処理Ｂにおける基地局１０の動作例を説明する。
【０１１３】
図２６は、基地局１０の動作例を示すフローチャートである。基地局１０は、端末情報記憶部１０４に保持している各端末情報について、図２６のＳ１５２〜Ｓ１６７に示した処理を実行する。
【０１１４】
具体的には、まず、復調部１１２が端末情報に含まれるプリアンブルを用いてデータパケットの検出処理を行う（Ｓ１５２）。ここでデータパケットが検出されなかった場合（Ｓ１５４／ＮＯ）、当該端末情報についての処理を終了する。一方、データパケットが検出された場合（Ｓ１５４／ＹＥＳ）、復調部１１２は当該データパケットの復調を試みる（Ｓ１５８）。Ｓ１５８においてデータパケットの復調が成功した場合（Ｓ１６４／ＹＥＳ）、有線通信部１２０は、データパケットの送信元端末の端末ＩＤを含む復調成功通知を管理サーバー３０に送信する（Ｓ１６７）。
【０１１５】
また、管理サーバー３０の基地局情報記憶部３０８は、管理サーバー３０が選択処理Ｂを行う場合、各基地局１０の受信可能エリアまたは処理対象の端末数などの基地局情報を記憶する。
【０１１６】
図２７は、基地局情報記憶部３０８が記憶する基地局情報の具体例を示す説明図である。図２７に示した例では、基地局情報として、基地局ＩＤ、位置、同時処理可能台数、アンテナ高、受信可能エリアおよび処理対象の端末台数を示している。同時処理可能台数は、基地局１０がデータパケットに関して同時に処理することが可能な無線通信端末２０の台数である。図２７に示した例では、基地局１０Ａの同時処理可能台数は１００台であり、これは、基地局１０Ａが最大で１００台の無線通信端末２０から送信されたデータパケットの復調処理を同時に実行可能であることを示す。
【０１１７】
アンテナ高は、対応する基地局１０のアンテナが設置されている標高を示す。受信可能エリアは、対応する基地局１０がどの程度の広さの範囲内に位置する無線通信端末２０から送信されたデータパケットを受信可能であるかを示す。図２７に示した例では、基地局１０Ａの受信可能エリアは半径２ｋｍであり、これは、基地局１０Ａが、基地局１０Ａを中心とする半径２ｋｍ以内のエリアから送信されたデータパケットを受信可能であることを示す。
【０１１８】
処理対象の端末台数は、対応する基地局１０が現在データパケットに関して処理を行っている対象の端末台数である。図２７に示した例では、基地局１０Ａの処置対象の端末台数は４０台であり、これは、基地局１０Ａが現在４０台の無線通信端末２０から送信され得るデータパケットの復調処理を同時に実行していることを示す。
【０１１９】
＜３−１．選択処理Ｂ１（１の基地局から復調成功通知を受信）＞
次に、図２８〜図３０を参照し、受信基地局の選択処理Ｂ１を説明する。ある無線通信端末２０の端末情報のアクティベートの時点では、当該無線通信端末２０がどの基地局１０のセル内に位置するか不明であるので、管理サーバー３０は全ての基地局１０を当該無線通信端末２０の受信基地局として選択し、全ての基地局１０に当該無線通信端末２０の端末情報を送信する。受信基地局の選択処理Ｂ１は、当該アクティベートの後に行われることが想定される、受信基地局を絞り込むための処理である。
【０１２０】
図２８は、受信基地局の選択処理Ｂ１を示すフローチャートである。まず、管理サーバー３０の通信部３２０が基地局１０から基地局ＩＤおよび無線通信端末２０の端末ＩＤを含む復調成功通知を受信すると（Ｓ７０２）、基地局選択部３１８は、当該復調成功通知の送信元基地局を、復調成功通知に含まれる端末ＩＤに対応する無線通信端末２０についての受信基地局として選択する（Ｓ７０４）。そして、通信部３２０は、受信基地局以外の基地局に、復調成功通知に含まれる端末ＩＤに対応する端末情報の破棄を指示する（Ｓ７０６）。
【０１２１】
続いて、上述した選択処理Ｂ１の具体例を説明する。
【０１２２】
図２９は、基地局１０と無線通信端末２０の位置関係の一例を示す説明図である。図２９に示した例では、無線通信端末２０Ａの位置は、基地局１０Ａのセル（受信可能エリア）に含まれ、基地局１０Ｂのセルに含まれない。このため、本来は、基地局１０Ａのみが無線通信端末２０Ａの端末情報を保持し、基地局１０Ａのみが無線通信端末２０Ａから送信されるデータパケットの復調を試みれば足りる。しかし、無線通信端末２０Ａの端末情報のアクティベートの直後では、無線通信端末２０Ａがどこに位置するか不明であるので、全ての基地局１０Ａおよび基地局１０Ｂが無線通信端末２０Ａの端末情報（端末情報Ａ）を保持している状態を想定する。当該状態において行われる選択処理Ｂ１は図３０に示す通りである。
【０１２３】
図３０は、選択処理Ｂ１の具体例を示す説明図である。図３０に示したように、管理サーバー３０が無線通信端末２０Ａの端末情報Ａのアクティベートを行い（Ｓ７１２）、端末情報Ａが全ての基地局１０に送信された直後においては（Ｓ７１４）、基地局１０Ａおよび基地局１０Ｂは、端末情報Ａを保持しており（Ｓ７１６）、端末情報Ａを用いた復調処理を継続的に実行している（Ｓ７１８）。
【０１２４】
ここで、無線通信端末２０Ａがデータパケットを送信し（Ｓ７２０）、基地局１０Ａが当該データパケットの復調に成功すると（Ｓ７２２）、基地局１０Ａは、無線通信端末２０Ａの端末ＩＤを含む復調成功通知を管理サーバー３０に送信する（Ｓ７２４）。
【０１２５】
管理サーバー３０の基地局選択部３１８は、基地局１０Ａから復調成功通知を受信したことに基づき、基地局１０Ａを無線通信端末２０Ａについての受信基地局として選択する（Ｓ７２６）。そして、管理サーバー３０の通信部３２０は、受信基地局以外の基地局である基地局１０Ｂに端末情報Ａの破棄を指示し（Ｓ７２８）、基地局１０Ｂは端末情報Ａを破棄する（Ｓ７３０）。
【０１２６】
このように、選択処理Ｂ１によれば、ある無線通信端末２０の端末情報を保持する基地局１０の数、および当該無線通信端末２０から送信されるデータパケットの復調を試みる基地局１０の数が低減される。従って、各基地局１０における復調に関する処理負荷を軽減することが可能である。
【０１２７】
＜３−２．選択処理Ｂ２（同時処理可能台数を利用）＞
次に、図３１〜図３３を参照し、受信基地局の選択処理Ｂ２を説明する。選択処理Ｂ２は、複数の基地局１０が同一の無線通信端末２０から送信されたデータパケットの復調に成功した場合に、各基地局１０の同時処理可能台数に基づいて複数の基地局１０から受信基地局を選択する処理である。
【０１２８】
図３１は、受信基地局の選択処理Ｂ２を示すフローチャートである。まず、通信部３２０が基地局１０から基地局ＩＤおよび無線通信端末２０の端末ＩＤを含む復調成功通知を受信すると（Ｓ７３２）、基地局選択部３１８は、同一の端末ＩＤを含む複数の復調成功通知が受信されたか否かを判断する（Ｓ７３４）。
【０１２９】
ここで、同一の無線通信端末２０から送信されたデータパケットの復調に成功した複数の基地局１０の各々から復調成功通知が受信されるタイミングは、基地局１０の処理遅延や通信遅延によりバラつくことがある。このため、基地局選択部３１８は、ある端末ＩＤを含む復調成功通知の受信から、一定時間に亘って当該端末ＩＤを含む他の復調成功通知の受信を待機してもよい。
【０１３０】
同一の端末ＩＤを含む複数の復調成功通知が受信されなかった場合（Ｓ７３４／ＮＯ）、基地局選択部３１８は、復調成功通知の送信元基地局を、復調成功通知に含まれる端末ＩＤに対応する無線通信端末２０についての受信基地局として選択する（Ｓ７３６）。一方、同一の端末ＩＤを含む複数の復調成功通知が受信された場合（Ｓ７３４／ＹＥＳ）、基地局選択部３１８は、基地局情報記憶部３０８を参照し、復調成功通知の送信元基地局のうちで、同時処理可能台数が最も多い基地局１０を受信基地局として選択する（Ｓ７３８）。
【０１３１】
通信部３２０は、Ｓ７３６またはＳ７３８で選択された受信基地局以外の基地局に、復調成功通知に含まれる端末ＩＤに対応する端末情報の破棄を指示する（Ｓ７４０）。
【０１３２】
続いて、上述した選択処理Ｂ２の具体例を説明する。
【０１３３】
図３２は、基地局１０と無線通信端末２０の位置関係の一例を示す説明図である。図３２に示した例では、基地局１０Ａのセルと基地局１０Ｂのセルが重なる範囲に無線通信端末２０Ａが位置する。図３２に示した無線通信端末２０Ａと基地局１０の位置関係において行われる選択処理Ｂ２は図３３に示す通りである。
【０１３４】
図３３は、選択処理Ｂ２の具体例を示す説明図である。図３３に示したように、基地局１０Ａおよび基地局１０Ｂは、端末情報Ａを保持しており（Ｓ７４２）、端末情報Ａを用いた復調処理を継続的に実行している（Ｓ７４４）。基地局１０Ａは、定期的に、基地局１０Ａの同時処理可能台数を管理サーバー３０に送信する（Ｓ７４６）。同様に、基地局１０Ｂは、定期的に、基地局１０Ｂの同時処理可能台数を管理サーバー３０に送信する（Ｓ７４８）。ここでは、基地局１０Ａの同時処理可能台数が１００台であり、基地局１０Ｂの同時処理可能台数が２００台である場合を想定する。なお、各基地局１０の同時処理可能台数が固定である場合、各基地局１０は定期的に同時処理可能台数を管理サーバー３０に送信しなくてもよい。
【０１３５】
その後、無線通信端末２０Ａがデータパケットを送信し（Ｓ７５０）、基地局１０Ａおよび基地局１０Ｂの双方が当該データパケットの復調に成功すると（Ｓ７５２、Ｓ７５４）、基地局１０Ａおよび基地局１０Ｂが復調成功通知を管理サーバー３０に送信する（Ｓ７５６、Ｓ７５８）。
【０１３６】
管理サーバー３０の基地局選択部３１８は、復調成功通知の送信元基地局である基地局１０Ａおよび基地局１０Ｂのうちで、同時処理可能台数が多い基地局１０Ｂを受信基地局として選択する（Ｓ７６０）。管理サーバー３０の通信部３２０は、受信基地局として選択されなかった基地局１０Ａに端末情報Ａの破棄を指示し（Ｓ７６２）、基地局１０Ａは端末情報Ａを破棄する（Ｓ７６４）。
【０１３７】
このような選択処理Ｂ２によれば、基地局１０Ａのセルと基地局１０Ｂのセルが重なるエリアに位置する無線通信端末２０についての復調処理は基地局１０Ｂにおいて行われる。結果、基地局１０Ａが基地局１０Ｂのセルと重ならないエリアに位置するより多くの無線通信端末２０についての復調処理を行うことが可能になるので、システム全体として高容量化を実現し得る。
【０１３８】
＜３−３．選択処理Ｂ３（受信可能エリアを利用）＞
次に、図３４〜図３６を参照し、受信基地局の選択処理Ｂ３を説明する。選択処理Ｂ３は、複数の基地局１０が同一の無線通信端末２０から送信されたデータパケットの復調に成功した場合に、各基地局１０の受信可能エリアの広さに基づいて複数の基地局１０から受信基地局を選択する処理である。
【０１３９】
図３４は、受信基地局の選択処理Ｂ３を示すフローチャートである。まず、通信部３２０が基地局１０から基地局ＩＤおよび無線通信端末２０の端末ＩＤを含む復調成功通知を受信すると（Ｓ７３２）、基地局選択部３１８は、同一の端末ＩＤを含む複数の復調成功通知が受信されたか否かを判断する（Ｓ７３４）。同一の端末ＩＤを含む複数の復調成功通知が受信されなかった場合（Ｓ７３４／ＮＯ）、基地局選択部３１８は、復調成功通知の送信元基地局を、復調成功通知に含まれる端末ＩＤに対応する無線通信端末２０についての受信基地局として選択する（Ｓ７３６）。
【０１４０】
一方、同一の端末ＩＤを含む複数の復調成功通知が受信された場合（Ｓ７３４／ＹＥＳ）、基地局選択部３１８は、基地局情報記憶部３０８を参照し、復調成功通知の送信元基地局のうちで、受信可能エリアが最も狭い基地局１０を受信基地局として選択する（Ｓ７３８−Ｂ３）。
【０１４１】
通信部３２０は、Ｓ７３６またはＳ７３８−Ｂ３で選択された受信基地局以外の基地局に、復調成功通知に含まれる端末ＩＤに対応する端末情報の破棄を指示する（Ｓ７４０）。
【０１４２】
続いて、上述した選択処理Ｂ３の具体例を説明する。
【０１４３】
図３５は、基地局１０と無線通信端末２０の位置関係の一例を示す説明図である。図３５に示した例では、基地局１０Ａのセルと基地局１０Ｂのセルが重なる範囲に無線通信端末２０Ａが位置する。また、基地局１０Ｂのセルの方が、基地局１０Ａのセルよりも大きい。図３５に示した無線通信端末２０Ａと基地局１０の位置関係において行われる選択処理Ｂ３は図３６に示す通りである。
【０１４４】
図３６は、選択処理Ｂ３の具体例を示す説明図である。図３６に示したように、基地局１０Ａおよび基地局１０Ｂは、端末情報Ａを保持しており（Ｓ７４２）、端末情報Ａを用いた復調処理を継続的に実行している（Ｓ７４４）。基地局１０Ａは、定期的に、基地局１０Ａの受信可能エリアを示す情報を管理サーバー３０に送信する（Ｓ７４６−Ｂ３）。同様に、基地局１０Ｂは、定期的に、基地局１０Ｂの受信可能エリアを示す情報を管理サーバー３０に送信する（Ｓ７４８−Ｂ３）。ここでは、基地局１０Ａの受信可能エリアが半径２ｋｍであり、基地局１０Ｂの受信可能エリアが半径５ｋｍである場合を想定する。なお、各基地局１０の受信可能エリアが固定である場合、各基地局１０は定期的に受信可能エリアを管理サーバー３０に送信しなくてもよい。
【０１４５】
その後、無線通信端末２０Ａがデータパケットを送信し（Ｓ７５０）、基地局１０Ａおよび基地局１０Ｂの双方が当該データパケットの復調に成功すると（Ｓ７５２、Ｓ７５４）、基地局１０Ａおよび基地局１０Ｂが復調成功通知を管理サーバー３０に送信する（Ｓ７５６、Ｓ７５８）。
【０１４６】
管理サーバー３０の基地局選択部３１８は、復調成功通知の送信元基地局である基地局１０Ａおよび基地局１０Ｂのうちで、受信可能エリアが最も狭い基地局１０Ａを受信基地局として選択する（Ｓ７６０−Ｂ３）。管理サーバー３０の通信部３２０は、受信基地局として選択されなかった基地局１０Ｂに端末情報Ａの破棄を指示し（Ｓ７６６）、基地局１０Ｂは端末情報Ａを破棄する（Ｓ７６８）。
【０１４７】
受信可能エリアが広いほど、当該受信可能エリア内に位置する無線通信端末２０の数が多くなる傾向があると考えられる。このため、上述した選択処理Ｂ３のように、複数の基地局１０の受信可能エリアが重なる範囲内に位置する無線通信端末２０についての復調を、受信可能エリアがより狭い基地局１０において行うことにより、システム全体として高容量化を実現し得る。
【０１４８】
＜３−４．選択処理Ｂ４（処理対象端末台数を利用）＞
次に、図３７〜図３９を参照し、受信基地局の選択処理Ｂ４を説明する。選択処理Ｂ４は、複数の基地局１０が同一の無線通信端末２０から送信されたデータパケットの復調に成功した場合に、各基地局１０の処理対象端末台数の多さに基づいて複数の基地局１０から受信基地局を選択する処理である。
【０１４９】
図３７は、受信基地局の選択処理Ｂ４を示すフローチャートである。まず、通信部３２０が基地局１０から基地局ＩＤおよび無線通信端末２０の端末ＩＤを含む復調成功通知を受信すると（Ｓ７３２）、基地局選択部３１８は、同一の端末ＩＤを含む複数の復調成功通知が受信されたか否かを判断する（Ｓ７３４）。同一の端末ＩＤを含む複数の復調成功通知が受信されなかった場合（Ｓ７３４／ＮＯ）、基地局選択部３１８は、復調成功通知の送信元基地局を、復調成功通知に含まれる端末ＩＤに対応する無線通信端末２０についての受信基地局として選択する（Ｓ７３６）。
【０１５０】
一方、同一の端末ＩＤを含む複数の復調成功通知が受信された場合（Ｓ７３４／ＹＥＳ）、基地局選択部３１８は、基地局情報記憶部３０８を参照し、復調成功通知の送信元基地局のうちで、処理対象端末台数が最も少ない基地局１０を受信基地局として選択する（Ｓ７３８−Ｂ４）。
【０１５１】
通信部３２０は、Ｓ７３６またはＳ７３８−Ｂ４で選択された受信基地局以外の基地局に、復調成功通知に含まれる端末ＩＤに対応する端末情報の破棄を指示する（Ｓ７４０）。
【０１５２】
続いて、上述した選択処理Ｂ４の具体例を説明する。
【０１５３】
図３８は、無線通信端末２０の分布例を示す説明図である。図３８に示した例では、基地局１０Ａのセル内に位置する無線通信端末２０の台数よりも、基地局１０Ｂのセル内に位置する無線通信端末２０の台数の方が多い。また、無線通信端末２０Ａは、基地局１０Ａのセルと基地局１０Ｂのセルが重なる範囲に位置している。図３８に示した無線通信端末２０の分布において行われる選択処理Ｂ４は図３９に示す通りである。
【０１５４】
図３９は、選択処理Ｂ４の具体例を示す説明図である。図３９に示したように、基地局１０Ａおよび基地局１０Ｂは、端末情報Ａを保持しており（Ｓ７４２）、端末情報Ａを用いた復調処理を継続的に実行している（Ｓ７４４）。基地局１０Ａは、定期的に、基地局１０Ａの処理対象端末台数を示す情報を管理サーバー３０に送信する（Ｓ７４６−Ｂ４）。同様に、基地局１０Ｂは、定期的に、基地局１０Ｂの処理対象端末台数を示す情報を管理サーバー３０に送信する（Ｓ７４８−Ｂ４）。ここでは、基地局１０Ａの処理対象端末台数が４台であり、基地局１０Ｂの処理対象端末台数が７台である場合を想定する。
【０１５５】
その後、無線通信端末２０Ａがデータパケットを送信し（Ｓ７５０）、基地局１０Ａおよび基地局１０Ｂの双方が当該データパケットの復調に成功すると（Ｓ７５２、Ｓ７５４）、基地局１０Ａおよび基地局１０Ｂが無線通信端末２０Ａの端末ＩＤを含む復調成功通知を管理サーバー３０に送信する（Ｓ７５６、Ｓ７５８）。
【０１５６】
管理サーバー３０の基地局選択部３１８は、復調成功通知の送信元基地局である基地局１０Ａおよび基地局１０Ｂのうちで、処理対象端末台数が最も少ない基地局１０Ａを受信基地局として選択する（Ｓ７６０−Ｂ４）。管理サーバー３０の通信部３２０は、受信基地局として選択されなかった基地局１０Ｂに端末情報Ａの破棄を指示し（Ｓ７６６）、基地局１０Ｂは端末情報Ａを破棄する（Ｓ７６８）。
【０１５７】
このような選択処理Ｂ４によれば、同時処理可能台数に対する処理対象端末台数の空きが大きい基地局１０が受信基地局として選択され易いので、各基地局１０の処理対象端末台数が平滑化され、システム全体として高容量化を実現し得る。なお、上述した選択処理Ｂ２〜Ｂ４の一部の選択処理または全ての選択処理は組み合わされてもよい。
【０１５８】
＜３−５．選択処理Ｂ５（処理対象端末台数の変化に対応）＞
次に、図４０〜図４２を参照し、受信基地局の選択処理Ｂ５を説明する。選択処理Ｂ４により各基地局１０の処理対象端末台数の大小関係に基づいて受信基地局が選択された後に、各基地局１０の処理対象端末台数の大小関係は変化し得る。選択処理Ｂ５は、各基地局１０の処理対象端末台数の大小関係の変化に応じ、受信基地局を最適化する処理である。
【０１５９】
図４０は、受信基地局の選択処理Ｂ５を示すフローチャートである。まず、通信部３２０が基地局１０から基地局ＩＤおよび無線通信端末２０の端末ＩＤを含む復調成功通知を受信すると（Ｓ８０２）、基地局選択部３１８は、復調成功通知に含まれる端末ＩＤを有する無線通信端末２０（該当端末）について受信基地局が最適化済みであるか否かを判断する（Ｓ８０４）。受信基地局が最適化済みでない場合（Ｓ８０４／ＮＯ）、基地局選択部３１８は、同一の端末ＩＤを含む複数の復調成功通知が受信されたか否かを判断する（Ｓ８０６）。同一の端末ＩＤを含む複数の復調成功通知が受信されなかった場合（Ｓ８０６／ＮＯ）、基地局選択部３１８は、復調成功通知の送信元基地局を受信基地局として選択する（Ｓ８０８）。
【０１６０】
一方、同一の端末ＩＤを含む複数の復調成功通知が受信された場合（Ｓ８０６／ＹＥＳ）、基地局選択部３１８は、受信基地局の最適化として、復調成功通知の送信元基地局のうちで、処理対象端末台数が最も少ない基地局を受信基地局として選択する（Ｓ８１０）。そして、端末情報記憶部３０４は、該当端末と関連付けて最適化情報を保持する、すなわち、該当端末と関連付けて、最適化に際して受信基地局の候補となった基地局１０、各基地局１０の最適化後の処理対象端末台数、および該当端末について最適化済みであることを保持する（Ｓ８１２）。
【０１６１】
管理サーバー３０の通信部３２０は、Ｓ８０８またはＳ８１２で選択された受信基地局に該当端末の端末情報を送信し（Ｓ８１４）、受信基地局以外の基地局に該当端末の端末情報の破棄を指示する（Ｓ８１６）。
【０１６２】
なお、Ｓ８０４において該当端末について受信基地局が最適化済みであると判断された場合（Ｓ８０４／ＹＥＳ）、基地局選択部３１８は、端末情報記憶部３０４に記憶されている最適化情報および基地局情報記憶部３０８に記憶されている処理端末情報を参照する。そして、基地局選択部３１８は、各基地局１０について保持されている現在の処理対象端末台数が、最適化情報に含まれる処理対象端末台数と異なるか否かを判断する（Ｓ８１８）。各基地局１０について保持されている現在の処理対象端末台数と最適化情報に含まれる処理対象端末台数が同一である場合（Ｓ８１８／ＮＯ）、基地局選択部３１８は受信基地局の最適化を行わない。一方、各基地局１０について保持されている現在の処理対象端末台数と最適化情報に含まれる処理対象端末台数が異なる場合（Ｓ８１８／ＹＥＳ）、Ｓ８１０に示した受信基地局の最適化が行われる。
【０１６３】
続いて、上述した選択処理Ｂ５の具体例を説明する。
【０１６４】
図４１は、無線通信端末２０の分布の変化を示す説明図である。図４１の上段に示した例では、基地局１０Ａのセル内に位置する無線通信端末２０の台数よりも、基地局１０Ｂのセル内に位置する無線通信端末２０の台数の方が多い。一方、図４１の下段に示した例では、基地局１０Ａのセル内に位置する無線通信端末２０の台数の方が、基地局１０Ｂのセル内に位置する無線通信端末２０の台数よりも多い。図４１の上段に示した分布が図４１の下段に示した分布に変化した場合に行われる選択処理Ｂ５は図４２に示す通りである。
【０１６５】
図４２は、選択処理Ｂ５の具体例を示す説明図である。図４２に示したように、基地局１０Ａおよび基地局１０Ｂは、端末情報Ａを保持しており、端末情報Ａを用いた復調処理を継続的に実行している（Ｓ８２２）。基地局１０Ａは、基地局１０Ａの処理対象端末台数を示す情報を管理サーバー３０に送信し（Ｓ８２４）、基地局１０Ｂは、基地局１０Ｂの処理対象端末台数を示す情報を管理サーバー３０に送信する（Ｓ８２６）。ここでは、基地局１０Ａの処理対象端末台数が３台であり、基地局１０Ｂの処理対象端末台数が５台である場合を想定する。管理サーバー３０の基地局情報記憶部３０８は、基地局１０Ａおよび基地局１０Ｂから受信された処理対象端末台数で基地局情報を更新する（Ｓ８２８）。
【０１６６】
その後、無線通信端末２０Ａがデータパケットを送信し（Ｓ８３０）、基地局１０Ａおよび基地局１０Ｂの双方が当該データパケットの復調に成功すると（Ｓ８３２、Ｓ８３４）、基地局１０Ａおよび基地局１０Ｂが無線通信端末２０Ａの端末ＩＤを含む復調成功通知を管理サーバー３０に送信する（Ｓ８３６、Ｓ８３８）。
【０１６７】
管理サーバー３０の基地局選択部３１８は、受信基地局の最適化として、復調成功通知の送信元基地局である基地局１０Ａおよび基地局１０Ｂのうちで、処理対象端末台数が最も少ない基地局１０Ａを受信基地局として選択する（Ｓ８４０）。そして、端末情報記憶部３０４は、無線通信端末２０Ａと関連付けて、最適化に際して受信基地局の候補となった基地局１０Ａおよび基地局１０Ｂ、最適化後の基地局１０Ａの処理端末台数（３台）、最適化後の基地局１０Ｂの処理端末台数（４台）、および無線通信端末２０について最適化済みであること、を含む最適化情報を保持する（Ｓ８４２）。
【０１６８】
管理サーバー３０の通信部３２０は、受信基地局として選択されなかった基地局１０Ｂに端末情報Ａの破棄を指示し（Ｓ８４４）、基地局１０Ｂは端末情報Ａを破棄する（Ｓ８４６）。
【０１６９】
その後、基地局１０Ａは、基地局１０Ａの処理対象端末台数を示す情報を管理サーバー３０に送信し（Ｓ８４８）、基地局１０Ｂは、基地局１０Ｂの処理対象端末台数を示す情報を管理サーバー３０に送信する（Ｓ８５０）。ここでは、基地局１０Ａの処理対象端末台数が６台であり、基地局１０Ｂの処理対象端末台数が４台である場合を想定する。管理サーバー３０の基地局情報記憶部３０８は、基地局１０Ａおよび基地局１０Ｂから受信された処理対象端末台数で基地局情報を更新する（Ｓ８５２）。
【０１７０】
そして、無線通信端末２０Ａがデータパケットを送信し（Ｓ８５４）、基地局１０Ａが当該データパケットの復調に成功すると（Ｓ８５６）、基地局１０Ａが無線通信端末２０Ａの端末ＩＤを含む復調成功通知を管理サーバー３０に送信する（Ｓ８５８）。
【０１７１】
ここで、無線通信端末２０Ａについての前回の最適化時から基地局１０Ａおよび基地局１０Ｂの処理対象端末台数が変化しているので、基地局選択部３１８は無線通信端末２０Ａについて受信基地局の最適化を再度行う。結果、前回の最適化に際して受信基地局の候補になった基地局１０Ａおよび基地局１０Ｂのうちで、処理対象端末台数が最も少ない基地局１０Ｂが受信基地局として選択される（Ｓ８６０）。そして、端末情報記憶部３０４は、無線通信端末２０Ａと関連付けて最適化情報を保持する（Ｓ８６２）。
【０１７２】
管理サーバー３０の通信部３２０は、受信基地局として選択された基地局１０Ｂに端末情報Ａを送信し（Ｓ８６４）、基地局１０Ｂは端末情報Ａを保持する（Ｓ８６６）。また、管理サーバー３０の通信部３２０は、受信基地局として選択されなかった基地局１０Ａに端末情報Ａの破棄を指示し（Ｓ８６８）、基地局１０Ａは端末情報Ａを破棄する（Ｓ８７０）。
【０１７３】
このように、選択処理Ｂ５によれば、各基地局１０が処理対象端末台数の変化に追従して各無線通信端末２０について受信基地局を最適化することが可能である。結果、無線通信端末２０の分布に変化が生じても各基地局１０の処理対象端末台数が平滑化され、システム全体として高容量化を実現し得る。
【０１７４】
＜＜４．端末情報の優先順位の調整処理＞＞
以上、受信基地局の選択処理Ａおよび選択処理Ｂを説明した。続いて、端末情報の優先順位の調整処理について説明する。各基地局１０が保持する端末情報には優先順位が設定され、上位から基地局１０の同時処理可能台数の範囲内の優先順位が付された端末情報を用いた復調が基地局１０において行われる。
【０１７５】
このような優先順位の調整処理のために、管理サーバー３０の制御部３１６は、図４３に示すように、優先順位管理部３１９の機能を有する。優先順位管理部３１９は、基地局１０から受信される復調成功通知に基づいて、当該基地局１０が保持する端末情報の優先順位を調整する。優先順位管理部３１９による第１の調整処理および第２の調整処理を順次詳細に説明する。
【０１７６】
＜４−１．第１の調整処理（復調成功通知に応じた調整）＞
図４４は、第１の調整処理を示すフローチャートである。通信部３２０が基地局１０から基地局ＩＤおよび無線通信端末２０の端末ＩＤを含む復調成功通知を受信すると（Ｓ８７２）、優先順位管理部３１９は、復調成功通知の送信元基地局が同時処理可能台数を超える数の端末情報を保持しているか否かを判断する（Ｓ８７４）。復調成功通知の送信元基地局が同時処理可能台数を超える数の端末情報を保持していない場合（Ｓ８７４／ＮＯ）、優先順位管理部３１９は特段の処理を行わない。
【０１７７】
一方、復調成功通知の送信元基地局が同時処理可能台数を超える数の端末情報を保持している場合（Ｓ８７４／ＹＥＳ）、優先順位管理部３１９は、復調成功通知の送信元基地局が保持する端末情報の優先順位を調整する（Ｓ８７６）。具体的には、優先順位管理部３１９は、復調成功通知に含まれる端末ＩＤに対応する端末情報の優先順位を下げ、他の端末情報の優先順位を繰り上げる。例えば、優先順位管理部３１９は、復調成功通知に含まれる端末ＩＤに対応する端末情報の優先順位を最下位の優先順位に下げてもよい。
【０１７８】
管理サーバー３０の通信部３２０は、優先順位管理部３１９による調整の結果に基づき、復調成功通知の送信元基地局に端末情報の優先順位の更新を指示する（Ｓ８７８）。
【０１７９】
続いて、上述した第１の調整処理の具体例を説明する。
【０１８０】
図４５は、基地局１０Ａが有する端末情報の具体例を示す説明図である。図４５に示したように、端末情報は、端末ＩＤ、プリアンブル、変調方式および優先順位を含む。図４５の上段に示した例では、端末ＩＤ「Ａ」に対応する端末情報Ａにおいては、プリアンブルが「１１２２３３」であり、変調方式がＢＰＳＫであり、優先順位が「１」である。また、端末ＩＤ「Ｂ」に対応する端末情報Ｂにおいては、プリアンブルが「２２１１３３」であり、変調方式がＢＰＳＫであり、優先順位が「４１」である。基地局１０Ａの同時処理可能台数が４０台である場合、端末情報Ａを用いた復調処理は行われるが、優先順位が同時処理可能台数の「４０」より低い端末情報Ｂを用いた復調処理は行われない。図４５の上段に示した端末情報が基地局１０Ａに保持されている場合に行われる第１の調整処理は図４６に示す通りである。
【０１８１】
図４６は、第１の調整処理の具体例を示す説明図である。図４６に示したように、基地局１０Ａは、端末情報Ａおよび端末情報Ｂを含む複数の端末情報を保持しており（Ｓ８８２）、各端末情報の優先順位を管理サーバー３０に送信する（Ｓ８８３）。管理サーバー３０の基地局情報記憶部３０８は、基地局１０Ａから受信された各端末情報の優先順位を記憶する（Ｓ８８４）。ここで、基地局１０Ａは、図４５の上段に示したように端末情報Ａの優先順位は「１」であるので端末情報Ａを用いた復調処理を実行するが、優先順位が「４１」である端末情報Ｂを用いた復調処理を行わない（Ｓ８８５）。
【０１８２】
このため、無線通信端末２０Ａがデータパケットを送信すると（Ｓ８８６）、基地局１０Ａは当該データパケットの復調に成功し、基地局１０は無線通信端末２０Ａの端末ＩＤを含む復調成功通知を管理サーバー３０に送信する（Ｓ８８７）。一方、無線通信端末２０Ｂがデータパケットを送信しても（Ｓ８８８）、基地局１０Ａは端末情報Ｂを用いた復調処理を行っていないので、当該データパケットは基地局１０Ａにおいて復調されない。
【０１８３】
その後、管理サーバー３０の優先順位管理部３１９は、基地局１０Ａから受信された復調成功通知に基づき、基地局１０Ａが保持する各端末情報の優先順位を調整する（Ｓ８８９）。ここでは、優先順位管理部３１９は、復調成功通知に含まれる端末ＩＤに対応する端末情報Ａの優先順位を例えば最下位の優先順位に下げ、他の端末情報の優先順位を繰り上げる。結果、図４５の下段に示したように、端末情報Ａの優先順位が「５０」となり、端末情報Ｂの優先順位が「４０」になる。
【０１８４】
管理サーバー３０の通信部３２０は、優先順位管理部３１９による調整の結果に基づき、復調成功通知の送信元基地局に端末情報の優先順位の更新を指示し（Ｓ８９０）、基地局１０Ａは各端末情報の優先順位を更新する（Ｓ８９１）。
【０１８５】
その後、無線通信端末２０Ａがデータパケットを送信しても（Ｓ８９２）、無線通信端末２０Ａに対応する端末情報Ａの優先順位が同時処理可能台数の範囲外であり、端末情報Ａを用いた復調処理が基地局１０Ａで行われていないので、当該データパケットは基地局１０Ａにおいて復調されない。一方、無線通信端末２０Ｂに対応する端末情報Ｂの優先順位は同時処理可能台数の範囲内であり、端末情報Ｂを用いた復調処理が基地局１０Ａで行われている。このため、無線通信端末２０Ｂがデータパケットを送信すると（Ｓ８９３）、基地局１０Ａは、当該データパケットの復調に成功し、無線通信端末２０Ｂの端末ＩＤを含む復調成功通知を管理サーバー３０に送信する（Ｓ８９４）。
【０１８６】
以上説明したように、基地局１０のセルに基地局１０の同時処理可能台数を超える無線通信端末２０が存在する場合に、各無線通信端末２０から送信されるデータパケットが復調される機会を平等に設けることが可能である。このため、ある無線通信端末２０から送信されたデータパケットが全く復調されないという運用結果が生じることを防止できる。
【０１８７】
＜４−２．第２の調整処理（ローミング契約を考慮した優先順位の調整）＞
次に、図４７〜図５２を参照し、第２の調整処理を説明する。第２の調整処理は、各無線通信端末２０のオペレータ（プロバイダ）と、各基地局１０のオペレータとの関係に応じて優先順位を調整する処理である。
【０１８８】
図４７および図４８は、第２の調整処理を示すフローチャートである。まず、管理サーバー３０は、新たにアクティベートされる無線通信端末２０（以下、アクティベート端末）の端末情報を取得する（Ｓ９０２）。そして、管理サーバー３０は、基地局１０ごとにＳ９０４〜Ｓ９１８の処理を繰り返す。
【０１８９】
具体的には、優先順位管理部３１９は基地局情報記憶部３０８から基地局１０の基地局情報を取得し（Ｓ９０４）、アクティベート端末のオペレータが、基地局１０のオペレータ、または基地局１０のオペレータがローミング契約しているオペレータであるかを判断する（Ｓ９０６）。アクティベート端末のオペレータが、基地局１０のオペレータでも、基地局１０のオペレータがローミング契約しているオペレータでもない場合（Ｓ９０６／ＮＯ）、管理サーバー３０はアクティベート端末の端末情報を当該基地局１０に送信せず、当該基地局１０についての処理が終了する。
【０１９０】
アクティベート端末のオペレータが、基地局１０のオペレータ、または基地局１０のオペレータがローミング契約しているオペレータである場合（Ｓ９０６／ＹＥＳ）、優先順位管理部３１９は、当該基地局１０に関してアクティベート端末の優先順位を「１」に設定する（Ｓ９０８）。そして、優先順位管理部３１９は、基地局１０に保持されている端末情報があるか否かを判断する（Ｓ９１０）。基地局１０に保持されている端末情報がない場合（９１０／ＮＯ）、通信部３２０が、当該基地局１０にアクティベート端末の端末情報を送信する（Ｓ９１２）。
【０１９１】
基地局１０に保持されている端末情報がある場合（Ｓ９１０／ＹＥＳ）、管理サーバー３０は、Ｓ９１４〜Ｓ９１８からの処理を、基地局１０に保持されている各端末情報（比較対象の端末情報）について、優先順位の高い端末情報から順に繰り返す。
【０１９２】
具体的には、優先順位管理部３１９が優先順位の調整処理を行い（Ｓ９１４）、比較対象の端末情報の優先順位に変化があった場合（Ｓ９１６／ＹＥＳ）、通信部３２０が比較対象の端末情報の優先順位の更新を基地局１０に指示する（Ｓ９１８）。ここで、図４８を参照して、Ｓ９１４に示した優先順位の調整処理をより詳細に説明する。
【０１９３】
優先順位管理部３１９は、まず、アクティベート端末のオペレータが基地局１０のオペレータであるか否かを判断する（Ｓ９２０）。アクティベート端末のオペレータが基地局１０のオペレータでない場合、すなわち、アクティベート端末のオペレータが基地局１０のオペレータがローミング契約しているオペレータである場合（Ｓ９２０／ＮＯ）、優先順位管理部３１９は、アクティベート端末の端末情報の優先順位を、比較対象の端末情報の優先順位＋１とする（Ｓ９２２）。
【０１９４】
一方、アクティベート端末のオペレータが基地局１０のオペレータである場合（Ｓ９２０／ＹＥＳ）、優先順位管理部３１９は、比較対象端末のオペレータが基地局１０のオペレータであるか否かを判断する（Ｓ９２４）。比較対象端末のオペレータが基地局１０のオペレータである場合（Ｓ９２４／ＹＥＳ）、Ｓ９２２の処理が行われる。一方、比較対象端末のオペレータが基地局１０のオペレータでない場合（Ｓ９２４／ＮＯ）、比較対象の端末情報の優先順位を＋１とする（Ｓ９２６）。
【０１９５】
続いて、上述した第２の調整処理の具体例を説明する。
【０１９６】
図４９は、無線通信端末２０の分布例を示す説明図である。図４９に示した例では、基地局１０Ｂのセル範囲内に無線通信端末２０Ａおよび無線通信端末２０Ｂが存在する。基地局１０Ｂは、無線通信端末２０Ａの端末情報Ａおよび無線通信端末２０Ｂの端末情報Ｂを保持し、端末情報Ａを用いた復調処理および端末情報Ｂを用いた復調処理を継続的に実行している。
【０１９７】
図５０は、管理サーバー３０の端末情報記憶部３０４に記憶される端末情報の具体例を示す説明図である。図５０に示したように、端末情報は、無線通信端末２０のオペレータの情報を含み得る。例えば、図５０に示した例では、端末ＩＤが「Ａ」である無線通信端末２０Ａのオペレータは「オペレータＸ」である。図４９に示した無線通信端末２０の分布の時点では、端末情報記憶部３０４は、図５０の上段に示した端末情報を記憶している。
【０１９８】
図５１は、管理サーバー３０の基地局情報記憶部３０８に記憶される基地局情報の具体例を示す説明図である。図５１に示したように、基地局情報は、基地局１０のオペレータ、および基地局１０のオペレータがローミング契約しているオペレータの情報を含み得る。図５１に示した例では、基地局ＩＤが「Ａ」である基地局１０Ａのオペレータは「オペレータＸ」であり、基地局１０Ａの「オペレータＸ」がローミング契約しているオペレータは「オペレータＹ」である。
【０１９９】
図４９に示した無線通信端末２０の分布において、基地局１０Ｂのセル範囲内で無線通信端末２０Ｃが新たにアクティベートされる場合に、図５０に示した端末情報および図５１の基地局情報に基づいて図５２に示す第２の調整処理が行われる。
【０２００】
図５２は、第２の調整処理の具体例を示す説明図である。図５２に示したように、基地局１０Ｂが端末情報Ａおよび端末情報Ｂを保持しており（Ｓ９３２）、管理サーバー３０が無線通信端末２０Ｃをアクティベートする（Ｓ９３４）。そして、優先順位管理部３１９は、各基地局１０における端末情報の優先順位を調整する（Ｓ９３６）。
【０２０１】
ここでは、無線通信端末２０Ｃのオペレータが「オペレータＹ」であると考える。この場合、端末情報Ｂについての図４８に示した処理においては、Ｓ９２０／ＮＯ、Ｓ９２４／ＹＥＳの分岐を経て、Ｓ９２２で無線通信端末２０Ｃの端末情報Ｃの優先順位が「２」（端末情報Ｂの優先順位「１」＋１）に設定される。続いて、端末情報Ａについての図４８に示した処理においては、Ｓ９２０／ＮＯ、Ｓ９２４／ＮＯの分岐を経て、Ｓ９２６で端末情報Ａの優先順位が「３」（元々の優先順位「２」＋１）に設定される。結果、各基地局１０の優先順位は、図５０の下段に示す優先順位となる。
【０２０２】
続いて、管理サーバー３０の通信部３２０は、基地局１０に、無線通信端末２０Ａの端末情報Ａの優先順位として「３」を通知し（Ｓ９３８）、無線通信端末２０Ｃの端末情報Ｃの優先順位として「２」を通知し（Ｓ９４０）。ここで、基地局１０Ｂの同時処理可能台数は「２台」であると考える。
【０２０３】
この場合、優先順位「３」に対応する無線通信端末２０Ａが送信したデータパケットは基地局１０Ｂにおいて復調されない（Ｓ９４２）。一方、優先順位「１」に対応する無線通信端末２０Ｂが送信したデータパケットは基地局１０Ｂにおいて復調され（Ｓ９４４）、無線通信端末２０Ｂの端末ＩＤを含む復調成功通知が管理サーバー３０に送信される（Ｓ９４６）。また、優先順位「２」に対応する無線通信端末２０Ｃが送信したデータパケットは基地局１０Ｂにおいて復調され（Ｓ９４８）、無線通信端末２０Ｃの端末ＩＤを含む復調成功通知が管理サーバー３０に送信される（Ｓ９５０）。
【０２０４】
このように、第２の調整処理によれば、基地局１０のオペレータと同一のオペレータにより提供される無線通信端末２０の優先順位は高く設定され、基地局１０のオペレータがローミング契約をしているオペレータと同一のオペレータにより提供される無線通信端末２０の優先順位は低く設定される。従って、基地局１０は、基地局１０の処理対象端末数が同時処理可能台数を下回っている場合にはローミングを行い、処理対象端末数が同時処理可能台数に達した場合には基地局１０のオペレータと同一のオペレータにより提供される無線通信端末２０から送信されるデータパケットを優先的に復調することができる。すなわち、無線通信端末２０の契約形態に適合するサービス品質を無線通信端末２０に提供することが可能である。
【０２０５】
＜＜５．ハードウェア構成＞＞
以上、本開示の実施形態を説明した。上述した受信基地局の選択処理および優先順位の調整などの情報処理は、ソフトウェアと、以下に説明する管理サーバー３０のハードウェアとの協働により実現される。
【０２０６】
図５３は、管理サーバー３０のハードウェア構成を示したブロック図である。管理サーバー３０は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ホストバス３０５と、を備える。また、管理サーバー３０は、ブリッジ３０６と、外部バス３０７と、インターフェース３０９と、入力装置３１０と、出力装置３１１と、ストレージ装置（ＨＤＤ）３１２と、ドライブ３１３と、通信装置３１５とを備える。
【０２０７】
ＣＰＵ３０１は、演算処理装置および制御装置として機能し、各種プログラムに従って管理サーバー３０内の動作全般を制御する。また、ＣＰＵ３０１は、マイクロプロセッサであってもよい。ＲＯＭ３０２は、ＣＰＵ３０１が使用するプログラムや演算パラメータ等を記憶する。ＲＡＭ３０３は、ＣＰＵ３０１の実行において使用するプログラムや、その実行において適宜変化するパラメータ等を一時記憶する。これらはＣＰＵバスなどから構成されるホストバス３０５により相互に接続されている。ＣＰＵ３０１、ＲＯＭ３０２およびＲＡＭ３０３などの協働により、上述した制御部３１６の機能が実現され得る。
【０２０８】
ホストバス３０５は、ブリッジ３０６を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス３０７に接続されている。なお、必ずしもホストバス３０５、ブリッジ３０６および外部バス３０７を分離構成する必要はなく、１つのバスにこれらの機能を実装してもよい。
【０２０９】
入力装置３１０は、マウス、キーボード、タッチパネル、ボタン、マイクロフォン、スイッチおよびレバーなどユーザが情報を入力するための入力手段と、ユーザによる入力に基づいて入力信号を生成し、ＣＰＵ３０１に出力する入力制御回路などから構成されている。管理サーバー３０のユーザは、該入力装置３１０を操作することにより、管理サーバー３０に対して各種のデータを入力したり処理動作を指示したりすることができる。
【０２１０】
出力装置３１１は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置３１１は、スピーカおよびヘッドホンなどの音声出力装置を含む。出力装置３１１は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【０２１１】
ストレージ装置３１２は、本実施形態にかかる管理サーバー３０の記憶部の一例として構成されたデータ格納用の装置である。ストレージ装置３１２は、記憶媒体、記憶媒体にデータを記録する記録装置、記憶媒体からデータを読み出す読出し装置および記憶媒体に記録されたデータを削除する削除装置などを含んでもよい。ストレージ装置３１２は、例えば、ＨＤＤ（Ｈａｒｄ  Ｄｉｓｋ  Ｄｒｉｖｅ）で構成される。このストレージ装置３１２は、ハードディスクを駆動し、ＣＰＵ３０１が実行するプログラムや各種データを格納する。ストレージ装置３１２は、例えば、端末情報記憶部３０４および基地局情報記憶部３０８に対応する。
【０２１２】
ドライブ３１３は、記憶媒体用リーダライタであり、管理サーバー３０に内蔵、あるいは外付けされる。ドライブ３１３は、装着されている磁気ディスク、光ディスク、光磁気ディスク、または半導体メモリ等のリムーバブル記憶媒体２４に記録されている情報を読み出して、ＲＡＭ３０３に出力する。また、ドライブ３１３は、リムーバブル記憶媒体２４に情報を書き込むこともできる。
【０２１３】
通信装置３１５は、例えば、基地局１０に接続するための通信デバイス等で構成された通信インターフェースである。また、通信装置３１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【０２１４】
＜＜６．むすび＞＞
以上説明したように、本開示の実施形態によれば、無線通信端末２０についての受信基地局を適切に選択することにより、システム全体で多端末収容を実現することが可能である。
【０２１５】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１６】
例えば、本明細書の基地局１０および管理サーバー３０の処理における各ステップは、必ずしもシーケンス図またはフローチャートとして記載された順序に沿って時系列に処理する必要はない。例えば、基地局１０および管理サーバー３０の処理における各ステップは、フローチャートとして記載した順序と異なる順序で処理されても、並列的に処理されてもよい。
【０２１７】
また、基地局１０および管理サーバー３０に内蔵されるＣＰＵ、ＲＯＭおよびＲＡＭなどのハードウェアに、上述した基地局１０および管理サーバー３０の各構成と同等の機能を発揮させるためのコンピュータプログラムも作成可能である。また、該コンピュータプログラムを記憶させた記憶媒体も提供される。
【０２１８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２１９】
また、以下のような構成も本開示の技術的範囲に属する。
（１）
無線通信端末から送信された無線信号の復調が成功した場合に復調成功通知を送信する基地局と通信する通信部と、
前記無線通信端末から送信された無線信号についての復調成功通知がいずれの基地局から受信されたかに基づき、前記無線通信端末から送信される無線信号の復調を試みるべき受信基地局を複数の基地局から選択する選択部と、
を備える、管理サーバー。
（２）
前記基地局は、前記無線通信端末から繰り返し送信された無線信号を合成し、合成後の無線信号の復調が成功した場合に、前記無線信号の合成回数を示す情報を含む復調成功通知を送信し、
前記選択部は、さらに、前記復調成功通知が示す前記合成回数に基づいて、前記受信基地局を選択する、前記（１）に記載の管理サーバー。
（３）
前記選択部は、前記合成回数が閾値未満であることに基づき、前記復調成功通知の送信元の基地局を前記受信基地局として選択する、前記（２）に記載の管理サーバー。
（４）
前記選択部は、前記合成回数が閾値以上であることに基づき、前記復調成功通知の送信元の基地局、および当該基地局の隣接基地局を前記受信基地局として選択する、前記（３）に記載の管理サーバー。
（５）
前記選択部は、
前記無線通信端末から送信された無線信号についての最初の復調成功通知の受信後の期間にも、前記無線通信端末から送信された無線信号についての２つ目以降の復調成功通知の受信を待機し、
前記期間に前記２つ目以降の復調成功通知が受信されなかった場合、前記最初の復調成功通知が示す前記合成回数が前記閾値未満であるか否かに基づき、前記最初の復調成功通知の送信元の基地局、または、前記最初の復調成功通知の送信元の基地局および当該基地局の隣接基地局を、前記受信基地局として選択する、前記（４）に記載の管理サーバー。
（６）
前記選択部は、
前記期間に２つ目以降の復調成功通知が受信された場合、前記閾値未満の合成回数を示す復調成功通知が存在するか否かを判断し、
前記閾値未満の合成回数を示す復調成功通知が存在する場合、前記無線通信端末に関して受信された全ての復調成功通知のうちで最も少ない合成回数を示す復調成功通知の送信元の基地局を前記受信基地局として選択し、
前記閾値未満の合成回数を示す復調成功通知が存在しない場合、前記無線通信端末に関して受信された全ての復調成功通知の送信元の基地局を前記受信基地局として選択する、前記（５）に記載の管理サーバー。
（７）
前記選択部は、
同一の基地局から受信される複数の復調成功通知の各々が示す前記合成回数の変化から、前記無線通信端末と前記基地局との位置関係の変化を推定し、
前記無線通信端末に関して２以上の基地局から前記復調成功通知が受信されたことに基づき、各基地局と前記無線通信端末との位置関係の変化の組合わせから、前記無線通信端末の移動方向を推定し、
推定された移動方向に基づき、前記無線通信端末が近づいていると推定される基地局を前記受信基地局として推定する、前記（２）〜（６）のいずれか一項に記載の管理サーバー。
（８）
前記管理サーバーは、前記複数の基地局の情報を記憶する基地局情報記憶部をさらに備え、
前記選択部は、前記複数の基地局から前記復調成功通知が受信された場合、前記基地局情報記憶部に記憶された前記複数の基地局の各々の情報に基づき、前記複数の基地局から前記受信基地局を選択する、前記（１）に記載の管理サーバー。
（９）
前記選択部は、前記複数の基地局のうちで処理能力が高い基地局を優先して前記受信基地局として選択する、前記（８）に記載の管理サーバー。
（１０）
前記選択部は、前記複数の基地局のうちで受信可能エリアが広い基地局を優先して前記受信基地局として選択する、前記（８）に記載の管理サーバー。
（１１）
前記選択部は、前記複数の基地局のうちで復調を試みている無線信号の送信元の無線通信端末の数が少ない基地局を優先して前記受信基地局として選択する、前記（８）に記載の管理サーバー。
（１２）
前記管理サーバーは、前記複数の基地局のうちで復調を試みている無線信号の送信元の無線通信端末の数が少ない基地局を前記受信基地局として選択した後の、前記複数の基地局の各々が復調を試みている無線信号の送信元の無線通信端末の数を、前記無線通信端末と関連付けて記憶する端末情報記憶部をさらに備え、
前記選択部は、前記端末情報記憶部に記憶されている前記複数の基地局の各々が復調を試みている無線信号の送信元の無線通信端末の数の大小関係が変化したことに基づき、前記受信基地局を変更する、前記（１１）に記載の管理サーバー。
（１３）
前記基地局が保持する、各無線通信端末に対応する復調のための端末情報には優先順位が設定されており、前記基地局は、上位から前記基地局の処理能力に応じた数の範囲内の優先順位が付された端末情報を用いて無線信号の復調を試みて、
前記管理サーバーは、
前記基地局において復調が成功した無線信号の送信元端末に対応する端末情報の優先順位を下げることで各端末情報の優先順位を調整する優先順位管理部をさらに備え、
前記通信部は、前記優先順位管理部により調整された各端末情報の優先順位を示す情報を前記基地局に送信する、前記（１）に記載の管理サーバー。
（１４）
前記基地局が保持する、各無線通信端末に対応する復調のための端末情報には優先順位が設定されており、前記基地局は、上位から前記基地局の処理能力に応じた数の範囲内の優先順位が付された端末情報を用いて無線信号の復調を試みて、
前記管理サーバーは、
前記基地局のオペレータと契約している無線通信端末の端末情報には、前記基地局のオペレータとローミングを契約しているオペレータと契約している無線通信端末の端末情報の優先順位よりも高い優先順位を設定する優先順位管理部をさらに備える、前記（１）に記載の管理サーバー。
（１５）
前記通信部は、前記受信基地局以外の基地局に、前記無線通信端末から送信された無線信号の復調を試みないことを指示する信号を送信する、前記（１）〜（１４）のいずれか一項に記載の管理サーバー。
（１６）
前記信号は、前記無線通信端末から送信された無線信号の復調に用いられる端末情報の破棄を指示する、前記（１５）に記載の管理サーバー。
（１７）
無線通信端末から送信された無線信号の復調が成功した場合に復調成功通知を送信する基地局と通信することと、
前記無線通信端末から送信された無線信号についての復調成功通知がいずれの基地局から受信されたかに基づき、プロセッサが、前記無線通信端末から送信される無線信号の復調を試みるべき受信基地局を複数の基地局から選択することと、
を含む、管理方法。
（１８）
無線通信端末から送信された無線信号の復調を試みる復調部と、
前記復調部による前記無線信号の復調が成功した場合に、復調成功通知を管理サーバーに送信する送信部と、
前記管理サーバーから受信される指示に基づき、前記復調部に、いずれの無線通信端末から送信された無線信号の復調を試みさせるかを制御する制御部と、
を備える、基地局。
（１９）
無線通信端末から送信された無線信号の復調を復調部が試みることと、
前記無線信号の復調が成功した場合に、復調成功通知を管理サーバーに送信することと、
前記管理サーバーから受信される指示に基づき、前記復調部にいずれの無線通信端末から送信された無線信号の復調を試みさせるかをプロセッサが制御することと、
を含む、通信制御方法。
（２０）
無線通信端末から送信された無線信号の復調を試みる復調部と、
前記復調部による前記無線信号の復調が成功した場合に、復調成功通知を管理サーバーに送信する送信部と、
を有する複数の基地局と、
前記複数の基地局と通信する通信部と、
前記無線通信端末から送信された無線信号についての復調成功通知がいずれの基地局から受信されたかに基づき、前記無線通信端末から送信される無線信号の復調を試みるべき受信基地局を複数の基地局から選択する選択部と、
を備え、
前記選択部により前記受信基地局として選択された基地局の復調部が、前記無線通信端末から送信される無線信号の復調を試みる、無線通信システム。
【符号の説明】
【０２２０】
１０  基地局
２０  無線通信端末
３０  管理サーバー
１０４  端末情報記憶部
１０８  無線通信部
１１２  復調部
１１６  制御部
１２０  有線通信部
２０４  センサ部
２０８  無線通信部
２１６  制御部
３０４  端末情報記憶部
３０８  基地局情報記憶部
３１５  通信装置
３１６  制御部
３１８  基地局選択部
３１９  優先順位管理部
３２０  通信部
【図１】
2019031109.tif 000003
【図２】
2019031109.tif 000004
【図３】
2019031109.tif 000005
【図４】
2019031109.tif 000006
【図５】
2019031109.tif 000007
【図６】
2019031109.tif 000008
【図７】
2019031109.tif 000009
【図８】
2019031109.tif 000010
【図９】
2019031109.tif 000011
【図１０】
2019031109.tif 000012
【図１１】
2019031109.tif 000013
【図１２】
2019031109.tif 000014
【図１３】
2019031109.tif 000015
【図１４】
2019031109.tif 000016
【図１５】
2019031109.tif 000017
【図１６】
2019031109.tif 000018
【図１７】
2019031109.tif 000019
【図１８】
2019031109.tif 000020
【図１９】
2019031109.tif 000021
【図２０】
2019031109.tif 000022
【図２１】
2019031109.tif 000023
【図２２】
2019031109.tif 000024
【図２３】
2019031109.tif 000025
【図２４】
2019031109.tif 000026
【図２５】
2019031109.tif 000027
【図２６】
2019031109.tif 000028
【図２７】
2019031109.tif 000029
【図２８】
2019031109.tif 000030
【図２９】
2019031109.tif 000031
【図３０】
2019031109.tif 000032
【図３１】
2019031109.tif 000033
【図３２】
2019031109.tif 000034
【図３３】
2019031109.tif 000035
【図３４】
2019031109.tif 000036
【図３５】
2019031109.tif 000037
【図３６】
2019031109.tif 000038
【図３７】
2019031109.tif 000039
【図３８】
2019031109.tif 000040
【図３９】
2019031109.tif 000041
【図４０】
2019031109.tif 000042
【図４１】
2019031109.tif 000043
【図４２】
2019031109.tif 000044
【図４３】
2019031109.tif 000045
【図４４】
2019031109.tif 000046
【図４５】
2019031109.tif 000047
【図４６】
2019031109.tif 000048
【図４７】
2019031109.tif 000049
【図４８】
2019031109.tif 000050
【図４９】
2019031109.tif 000051
【図５０】
2019031109.tif 000052
【図５１】
2019031109.tif 000053
【図５２】
2019031109.tif 000054
【図５３】
2019031109.tif 000055
【国際調査報告】
2019031109.tif 000056
2019031109.tif 000057